(57)【要約】【課題】  ズーム機能、自動露出機能、ブラケティング撮影機能等を備えた撮影装置及びそのプログラムを実現する。【解決手段】  ズーム処理、オートフォーカス処理を行うと、合焦した被写体距離と焦点距離を検出する。そして、ユーザによって入力された被写界深度条件が、過焦点距離であるか被写界深度（前方又は後方）であるか被写界深度限界（近点又は遠点）であるか否かを判断し、該判別した被写界深度条件となるような絞り値を算出し、該算出した絞り値と露出値により適切なシャッタ速度を設定して静止画撮影処理を行う。【選択図】  図１６            
2005338614.tif 000002
【特許請求の範囲】
【請求項１】
被写体を撮影する撮影手段と、
被写界深度条件を設定する設定手段と、
前記設定手段により設定された被写界深度条件となるような撮影条件を取得する取得手段と、
前記取得手段により取得された撮影条件で前記撮影手段による撮影を制御する撮影制御手段と、
を備えたことを特徴とする撮影装置。
【請求項２】
絞り値及び被写体距離を検出する第１の検出手段を備え、
前記取得手段は、
前記設定手段により設定された被写界深度条件及び前記第１の検出手段により検出された絞り値、被写体距離から焦点距離を算出し、該算出された焦点距離を撮影条件として取得することを特徴とする請求項１記載の撮影装置。
【請求項３】
前記第１の検出手段は、
ユーザによって入力された値を絞り値として検出することを特徴とする請求項２記載の撮影装置。
【請求項４】
前記第１の検出手段は、
自動露出制御によって設定された絞り値を検出することを特徴とする請求項２記載の撮影装置。
【請求項５】
焦点距離及び被写体距離を検出する第２の検出手段を備え、
前記取得手段は、
前記設定手段により設定された被写界深度条件及び前記第２の検出手段により検出された焦点距離、被写体距離から絞り値を算出し、該算出された絞り値を撮影条件として取得することを特徴とする請求項１記載の撮影装置。
【請求項６】
前記被写界深度条件は、
前方被写界深度、後方被写界深度、被写界深度限界近点、被写界深度限界遠点及び過焦点距離からなり、
前記設定手段は、
前記被写界深度条件のうち１つを設定することを特徴とする請求項1乃至５の何れかに記載の撮影装置。
【請求項７】
ユーザが被写界深度条件のうち１つを選択し、該選択された要素を数値データの形態で入力するための数値入力手段を備え、
前記設定手段は、
前記数値入力手段により入力された数値データを被写界深度条件として設定することを特徴とする請求項６記載の撮影装置。
【請求項８】
前記撮影制御手段は、
連続して前記撮影手段による被写体の撮影を制御する連続撮影制御手段を備えたことを特徴とする請求項１乃至７の何れかに記載の撮影装置。
【請求項９】
前記設定手段は、
異なる被写界深度条件を設定していき、
前記取得手段は、
前記設定手段により設定されていく被写界深度条件となるような撮影条件を順次取得し、
前記連続撮影制御手段は、
前記取得手段により順次取得された撮影条件にしたがって、連続して前記撮影手段による撮影を制御することを特徴とする請求項８記載の撮影装置。
【請求項１０】
少なくともユーザがブラケティングさせる被写界深度条件の補正間隔を入力するための補正間隔入力手段を備え、
前記設定手段は、
前記補正間隔入力手段により入力された被写界深度条件の補正間隔にしたがって、被写界深度条件をブラケティングさせて異なる被写界深度条件を設定していくことを特徴とする請求項８又は９記載の撮影装置。
【請求項１１】
前記補正間隔入力手段は、
更に、補正順序、撮影枚数を入力するための手段を備え、
前記設定手段は、
前記補正間隔入力手段により入力された補正間隔、補正順序、撮影枚数にしたがって、被写界深度条件をブラケティングさせて異なる被写界深度条件を設定していくことを特徴とする請求項１０記載の撮影装置。
【請求項１２】
前記連続撮影制御手段は、
前記撮影手段による撮影を制御するごとに、露出ブラケティング撮影、ＷＢブラケティング撮影、シャープネスブラケティング撮影、コントラストブラケティング撮影、フィルタブラケティング撮影、カラー補正ブラケティング撮影のうち少なくとも１つ以上のブラケティング撮影の制御を行うことを特徴とする９乃至１１記載の撮影装置。
【請求項１３】
前記撮影手段により撮影された撮影画像を表示手段に表示させる表示制御手段を備えたことを特徴とする請求項１乃至１２の何れかに記載の撮影装置。
【請求項１４】
前記表示制御手段は、
前記撮影手段により撮影された画像を表示手段に表示させるとともに、前記表示手段に表示された画像の撮影者から見た見かけ上の距離目盛を表した距離換算スケールを重ねて表示手段に表示させることを特徴とする請求項１３記載の撮影装置。
【請求項１５】
前記撮影手段により撮影された撮影画像の撮影者から見た見かけ上の距離目盛に対応する撮像素子上の位置を算出する距離位置算出手段を備え、
前記表示制御手段は、
前記距離位置算出手段により算出された距離目盛が対応する該撮像素子上の位置に該距離目盛情報を表示させることにより距離換算スケールを前記表示手段に表示させることを特徴とする請求項１４記載の撮影装置。
【請求項１６】
撮像素子上の位置に対応する前記撮影手段により撮影された撮影画像の撮影者から見た見かけ上の距離を算出する距離算出手段を備え、
前記表示制御手段は、
前記距離算出手段により算出された距離目盛が対応する前記撮像素子上の位置に該算出された距離目盛情報を表示させることにより距離換算スケールを前記表示手段に表示させることを特徴とする請求項１４記載の撮影装置。
【請求項１７】
絞り値、焦点距離及び被写体距離を検出する検出手段と、
前記検出手段によって検出された絞り値、焦点距離及び被写体距離から前記撮影手段により撮影された画像の被写界深度条件及び被写界深度を算出する算出手段を備え、
前記表示制御手段は、
前記算出手段により算出された被写界深度条件及び被写界深度の情報を前記表示手段に表示させることを特徴とする請求項１４乃至１６の何れかに記載の撮影装置。
【請求項１８】
前記表示制御手段は、
前記算出手段により算出された被写界深度の深浅を前記距離換算スケール上に重ねて前記表示手段に表示させることを特徴とする請求項１７記載の撮影装置。
【請求項１９】
前記表示制御手段は、
前記撮影手段により撮影された撮影画像を前記表示手段に表示させるとともに、少なくとも絞り値と被写界深度の関係グラフ、焦点距離と被写界深度の関係グラフ、被写体距離と被写界深度の関係グラフのうち１つの関係グラフを表示させることを特徴とする請求項１３乃至１８の何れかに記載の撮影装置。
【請求項２０】
前記表示制御手段は、
更に、絞り、シャッタ速度、露出量、ホワイトバランス、焦点距離、被写体距離、ズーム倍率のうち少なくとも１つ以上の情報を表示させることを特徴とする請求項１３乃至１９の何れかに記載の撮影装置。
【請求項２１】
前記撮影制御手段により撮影された画像を記録手段に記録する記録制御手段を備えたことを特徴とする請求項１乃至２０の何れかに記載の撮影装置。
【請求項２２】
前記記録制御手段は、
前記撮影制御手段により得られた画像データとともに、少なくとも該画像データが得られたときの被写界深度条件を該画像データと関連付けて前記記録手段に記録することを特徴とする請求項２１記載の撮影装置。
【請求項２３】
ユーザが撮影モードを選択するための第１の選択手段と、
前記第１の選択手段により選択された撮影モードに対応する被写界深度条件を取得する第１の条件取得手段を備え、
前記設定手段は、
前記第１の条件取得手段により取得された被写界深度条件を設定することを特徴とする請求項１乃至２２の何れかに記載の撮影装置。
【請求項２４】
前記撮影制御手段は、
前記第１の選択手段により選択された撮影モードの種類を判別し、該判別結果に基づいて適切なブラケティング撮影の制御を行うことを特徴とする請求項２３記載の撮影装置。
【請求項２５】
前記記録手段に記録された画像データを選択する第２の選択手段と、
前記第２の選択手段により選択された画像データに関連付けられて記録されている被写界深度条件を取得する第２の条件取得手段と、
を備え、
前記設定手段は、
前記第２の条件取得手段により取得された被写界深度条件を設定することを特徴とする請求項１乃至２４の何れかに記載の撮影装置。
【請求項２６】
被写体を撮影する撮影手段と、
撮影手段により撮影された撮影画像の単位目盛毎の画角がそれぞれ対応する撮像素子上の位置を算出する画角位置算出手段と、
前記単位目盛毎の画角がそれぞれ写し込むことができる最短距離を算出する距離算出手段と、
前記撮影手段により撮影された撮影画像とともに、前記画角位置算出手段により算出された単位目盛毎の画角が対応する撮像素子上の位置に前記距離算出手段により算出された最短距離の情報を前記表示手段に表示させる表示制御手段と、
を備えたことを特徴とする撮影装置。
【請求項２７】
被写体を撮影する撮影手段と、
撮像素子上の位置に対応する前記撮影手段により撮影された撮影画像の単位目盛毎の画角を算出する画角算出手段と、
前記算出手段により算出された単位目盛毎の画角がそれぞれ写し込むことができる最短距離を算出する距離算出手段と、
前記撮影手段により撮影された撮影画像とともに、前記画角算出手段により算出された単位目盛毎の画角に対応する前記撮像素子上の位置に前記距離算出手段により算出された最短距離の情報を表示させることを特徴とする撮影装置。
【請求項２８】
被写体を撮影する撮影手段と、
絞り値、焦点距離、及び被写体距離を検出する検出手段と、
前記検出手段により検出された絞り値、焦点距離及び被写体距離から前記撮影手段により撮影された画像の被写界深度を算出する算出手段と、
前記撮影手段により撮影された画像と前記算出手段により算出された被写界深度の情報を表示手段に表示させる表示制御手段と、
を備えたことを特徴とする撮影装置。
【請求項２９】
前記表示制御手段は、
前記撮影手段により撮影された撮影画像を前記表示手段に表示させるとともに、少なくとも被写界深度と絞り値の関係グラフ、焦点距離と被写界深度の関係グラフ、被写体距離と被写界深度の関係グラフのうち１つの関係グラフを表示させることを特徴とする請求項２６乃至２９記載の撮影装置。
【請求項３０】
被写体を撮影する撮影処理と、
被写界深度条件を設定する処理と、
この処理により設定された被写界深度条件となるような撮影条件を取得する処理と、
この処理により取得された撮影条件で前記撮影処理による撮影を制御する撮影制御処理と、
を含み、上記各処理をコンピュータで実行させることを特徴とするプログラム。
【発明の詳細な説明】
【技術分野】
【０００１】
本発明は、撮影装置及びそのプログラムに係り、詳しくは、ズーム機能、自動露出機能、ブラケティング撮影機能等を備えた撮影装置及びそのプログラムに関する。
【背景技術】
【０００２】
従来、一眼レフ・カメラでは被写界深度を判断するには、撮影する絞り値までレンズを絞り込み、ファインダ画面でボケ具合を確認するか、シャッタを押す前に、レンズ鏡筒に記された被写界深度目盛を読み取ることにより被写界深度を判断していた。
また、ブラケティング撮影機能を備えたカメラも普及しており、これにより、撮影条件等を少しずつ変えて複数回連続して撮影することによりユーザが後から気に入った画像を選択してより適切な画像を得ることができていた。
【０００３】
また、下記特許文献１には、１つの被写体の距離、絞り値及び焦点距離から被写界深度を演算し、他の被写体がその被写界深度内にあるか否かを表示体の点灯や点滅でファインダに表示することができる被写界深度表示装置なるものが記載されている。
【０００４】
また、下記特許文献２には、任意に２つのフォーカスエリアを指定し、対応する被写体まで距離を検知し、指定フォーカスエリアの何れかに焦点が合うように撮像レンズを移動させ、２点の距離差と光学像の輝度に基づいて絞り値と露光時間を設定することができる自動露出制御装置なるものが記載されている。
【０００５】
また、下記特許文献３には、ユーザが所定の操作を行うと、シャッター操作時に、撮影条件を変えた複数枚の撮影を行い、順次画像メモリーに記録し、モニタ表示してから選択された画像を記録媒体に記録することができる電子スチルカメラなるものが記載されている。
【０００６】
【特許文献１】公開特許公報  特開平５−２３２３７１号（第（２）項右欄第４項第３８行目から第（５）項右欄第１０項第８行目参照）参照）
【０００７】
【特許文献２】公開特許公報  特開平３−２８７１４２号（第（３５０）項右下欄第１４項第４行目から第（３５２）項左下欄第２１項第３行目まで）
【０００８】
【特許文献３】公開特許公報  特開平２−１７２２３６８号（第（４７７）項左下欄第９項第１行目から第（４７９）項左下欄第１５項第２行目まで）
【発明の開示】
【発明が解決しようとする課題】
【０００９】
しかしながら、従来のカメラ等にあっては、以下のような問題点があった。
（１）従来の一眼レフ・カメラにあっては、レンズの絞りを絞ると入射光量が減少して視野が暗くなるため、被写界深度や背景のボケ程度を視認するのは熟練者であっても難しいという問題点があった。また、レンズの目盛を読む方法では、ズームや絞りを変更するたびにファインダから鏡筒に視線を移し、絞り値毎の被写界深度を読み取る必要があり不便であり、面倒であるという問題点があった。
（２）上記特許文献１記載の技術によれば、被写体が被写界深度内にあるか否かの表示により確認することができるが、被写体像や前後景のピントやボケ程度との関係が分かりにくいという問題点があった。
（３）上記特許文献２記載の技術では、複数の被写体を選択する操作が必要なため、面倒で、シャッタを押すまでに時間がかかり、シャッタチャンスを逃しやすいという問題点があった。また、ピントを合わせたい被写体は選択することができても、前後景に適当な被写体がない場合や、ピントを外したい被写体は選択することができず、前後景のボケを設定して撮影することは出来なかった。
【００１０】
（４）また、上記特許文献３に記載の技術のように、露出、ホワイトバランス、フォーカス位置などの撮影条件を少しずつ変えて複数の写真を一度に連続撮影するブラケティング撮影機能などを備えたカメラや発案はあるが、ユーザのそのブラケティングする被写界深度などを任意に設定することができるズーム機能やブラケティング撮影機能を備えたデジタルカメラはなかった。
そのため、ブラケティングされていく間隔がユーザの所望する間隔より大きかったり、小さかったりすることがあるため、ブラケティング撮影を行ってもユーザが本当に所望する画像を得ることができないという問題点もあった。
（５）更に、上記した各特許文献に記載した技術でも、ユーザが所望する被写界深度で被写体を撮影することができず、ユーザが所望する画像を撮影することができないという問題点があった。
【００１１】
そこで本発明は、かかる従来の問題点に鑑みてなされたものであり、設定された被写界深度となるように自動ズーム、自動露出、及び被写界深度等の表示を行うことでユーザの利便性を向上することができる撮影装置及びそのプログラムを提供すること目的とする。
【課題を解決するための手段】
【００１２】
上記目的達成のため、請求項１記載の発明による撮影装置は、被写体を撮影する撮影手段と、
被写界深度条件を設定する設定手段と、
前記設定手段により設定された被写界深度条件となるような撮影条件を取得する取得手段と、
前記取得手段により取得された撮影条件で前記撮影手段による撮影を制御する撮影制御手段と、
を備えたことを特徴とする。
【００１３】
また、例えば、請求項２に記載されているように、絞り値及び被写体距離を検出する第１の検出手段を備え、
前記取得手段は、
前記設定手段により設定された被写界深度条件及び前記第１の検出手段により検出された絞り値、被写体距離から焦点距離を算出し、該算出された焦点距離を撮影条件として取得するようにしてもよい。
【００１４】
また、例えば、請求項３に記載されているように、前記第１の検出手段は、
ユーザによって入力された値を絞り値として検出するようにしてもよい。
また、例えば、請求項４に記載されているように、前記第１の検出手段は、
自動露出制御によって設定された絞り値を検出するようにしてもよい。
【００１５】
また、例えば、請求項５に記載されているように、焦点距離及び被写体距離を検出する第２の検出手段を備え、
前記取得手段は、
前記設定手段により設定された被写界深度条件及び前記第２の検出手段により検出された焦点距離、被写体距離から絞り値を算出し、該算出された絞り値を撮影条件として取得するようにしてもよい。
【００１６】
また、例えば、請求項６に記載されているように、前記被写界深度条件は、
前方被写界深度、後方被写界深度、被写界深度限界近点、被写界深度限界遠点及び過焦点距離からなり、
前記設定手段は、
前記被写界深度条件のうち１つを設定するようにしてもよい。
【００１７】
また、例えば、請求項７に記載されているように、ユーザが被写界深度条件のうち１つを選択し、該選択された要素を数値データの形態で入力するための数値入力手段を備え、
前記設定手段は、
前記数値入力手段により入力された数値データを被写界深度条件として設定するようにしてもよい。
【００１８】
また、例えば、請求項８に記載されているように、前記撮影制御手段は、
連続して前記撮影手段による被写体の撮影を制御する連続撮影制御手段を備えるようにしてもよい。
【００１９】
また、例えば、請求項９に記載されているように、前記設定手段は、
異なる被写界深度条件を設定していき、
前記取得手段は、
前記設定手段により設定されていく被写界深度条件となるような撮影条件を順次取得し、
前記連続撮影制御手段は、
前記取得手段により順次取得された撮影条件にしたがって、連続して前記撮影手段による撮影を制御するようにしてもよい。
【００２０】
また、例えば、請求項１０に記載されているように、少なくともユーザがブラケティングさせる被写界深度条件の補正間隔を入力するための補正間隔入力手段を備え、
前記設定手段は、
前記補正間隔入力手段により入力された被写界深度条件の補正間隔にしたがって、被写界深度条件をブラケティングさせて異なる被写界深度条件を設定していくようにしてもよい。
【００２１】
また、例えば、請求項１１に記載されているように、前記補正間隔入力手段は、
更に、補正順序、撮影枚数を入力するための手段を備え、
前記設定手段は、
前記補正間隔入力手段により入力された補正間隔、補正順序、撮影枚数にしたがって、被写界深度条件をブラケティングさせて異なる被写界深度条件を設定していくようにしてもよい。
【００２２】
また、例えば、請求項１２に記載されているように、前記連続撮影制御手段は、
前記撮影手段による撮影を制御するごとに、露出ブラケティング撮影、ＷＢブラケティング撮影、シャープネスブラケティング撮影、コントラストブラケティング撮影、フィルタブラケティング撮影、カラー補正ブラケティング撮影のうち少なくとも１つ以上のブラケティング撮影の制御を行うようにしてもよい。
【００２３】
また、例えば、請求項１３に記載されているように、前記撮影手段により撮影された撮影画像を表示手段に表示させる表示制御手段を備えるようにしてもよい。
【００２４】
また、例えば、請求項１４に記載されているように、前記表示制御手段は、
前記撮影手段により撮影された画像を表示手段に表示させるとともに、前記表示手段に表示された画像の撮影者から見た見かけ上の距離目盛を表した距離換算スケールを重ねて表示手段に表示させるようにしてもよい。
【００２５】
また、例えば、請求項１５に記載されているように、前記撮影手段により撮影された撮影画像の撮影者から見た見かけ上の距離目盛に対応する撮像素子上の位置を算出する距離位置算出手段を備え、
前記表示制御手段は、
前記距離位置算出手段により算出された距離目盛が対応する該撮像素子上の位置に該距離目盛情報を表示させることにより距離換算スケールを前記表示手段に表示させるようにしてもよい。
【００２６】
また、例えば、請求項１６に記載されているように、撮像素子上の位置に対応する前記撮影手段により撮影された撮影画像の撮影者から見た見かけ上の距離を算出する距離算出手段を備え、
前記表示制御手段は、
前記距離算出手段により算出された距離目盛が対応する前記撮像素子上の位置に該算出された距離目盛情報を表示させることにより距離換算スケールを前記表示手段に表示させるようにしてもよい。
【００２７】
また、例えば、請求項１７に記載されているように、絞り値、焦点距離及び被写体距離を検出する検出手段と、
前記検出手段によって検出された絞り値、焦点距離及び被写体距離から前記撮影手段により撮影された画像の被写界深度条件及び被写界深度を算出する算出手段を備え、
前記表示制御手段は、
前記算出手段により算出された被写界深度条件及び被写界深度の情報を前記表示手段に表示させるようにしてもよい。
【００２８】
また、例えば、請求項１８に記載されているように、前記表示制御手段は、
前記算出手段により算出された被写界深度の深浅を前記距離換算スケール上に重ねて前記表示手段に表示させるようにしてもよい。
【００２９】
また、例えば、請求項１９に記載されているように、前記表示制御手段は、
前記撮影手段により撮影された撮影画像を前記表示手段に表示させるとともに、少なくとも絞り値と被写界深度の関係グラフ、焦点距離と被写界深度の関係グラフ、被写体距離と被写界深度の関係グラフのうち１つの関係グラフを表示させるようにしてもよい。
【００３０】
また、例えば、請求項２０に記載されているように、前記表示制御手段は、
更に、絞り、シャッタ速度、露出量、ホワイトバランス、焦点距離、被写体距離、ズーム倍率のうち少なくとも１つ以上の情報を表示させるようにしてもよい。
【００３１】
また、例えば、請求項２１に記載されているように、前記撮影制御手段により撮影された画像を記録手段に記録する記録制御手段を備えるようにしてもよい。
【００３２】
また、例えば、請求項２２に記載されているように、前記記録制御手段は、
前記撮影制御手段により得られた画像データとともに、少なくとも該画像データが得られたときの被写界深度条件を該画像データと関連付けて前記記録手段に記録するようにしてもよい。
【００３３】
また、例えば、請求項２３に記載されているように、ユーザが撮影モードを選択するための第１の選択手段と、
前記第１の選択手段により選択された撮影モードに対応する被写界深度条件を取得する第１の条件取得手段を備え、
前記設定手段は、
前記第１の条件取得手段により取得された被写界深度条件を設定するようにしてもよい。
【００３４】
また、例えば、請求項２４に記載されているように、前記撮影制御手段は、
前記第１の選択手段により選択された撮影モードの種類を判別し、該判別結果に基づいて適切なブラケティング撮影の制御を行うようにしてもよい。
【００３５】
また、例えば、請求項２５に記載されているように、前記記録手段に記録された画像データを選択する第２の選択手段と、
前記第２の選択手段により選択された画像データに関連付けられて記録されている被写界深度条件を取得する第２の条件取得手段と、
を備え、
前記設定手段は、
前記第２の条件取得手段により取得された被写界深度条件を設定するようにしてもよい。
【００３６】
上記目的達成のため、請求項２６記載の発明による撮影装置は、被写体を撮影する撮影手段と、
撮影手段により撮影された撮影画像の単位目盛毎の画角がそれぞれ対応する撮像素子上の位置を算出する画角位置算出手段と、
前記単位目盛毎の画角がそれぞれ写し込むことができる最短距離を算出する距離算出手段と、
前記撮影手段により撮影された撮影画像とともに、前記画角位置算出手段により算出された単位目盛毎の画角が対応する撮像素子上の位置に前記距離算出手段により算出された最短距離の情報を前記表示手段に表示させる表示制御手段と、
を備えたことを特徴とする。
【００３７】
上記目的達成のため、請求項２７記載の発明による撮影装置は、被写体を撮影する撮影手段と、
撮像素子上の位置に対応する前記撮影手段により撮影された撮影画像の単位目盛毎の画角を算出する画角算出手段と、
前記算出手段により算出された単位目盛毎の画角がそれぞれ写し込むことができる最短距離を算出する距離算出手段と、
前記撮影手段により撮影された撮影画像とともに、前記画角算出手段により算出された単位目盛毎の画角に対応する前記撮像素子上の位置に前記距離算出手段により算出された最短距離の情報を表示させることを特徴とする。
【００３８】
上記目的達成のため、請求項２８記載の発明による撮影装置は、被写体を撮影する撮影手段と、
絞り値、焦点距離、及び被写体距離を検出する検出手段と、
前記検出手段により検出された絞り値、焦点距離及び被写体距離から前記撮影手段により撮影された画像の被写界深度を算出する算出手段と、
前記撮影手段により撮影された画像と前記算出手段により算出された被写界深度の情報を表示手段に表示させる表示制御手段と、
を備えたことを特徴とする。
【００３９】
また、例えば、請求項２９に記載されているように、前記表示制御手段は、
前記撮影手段により撮影された撮影画像を前記表示手段に表示させるとともに、少なくとも被写界深度と絞り値の関係グラフ、焦点距離と被写界深度の関係グラフ、被写体距離と被写界深度の関係グラフのうち１つの関係グラフを表示させるようにしてもよい。
【００４０】
上記目的達成のため、請求項３０記載の発明によるプログラムは、被写体を撮影する撮影処理と、
被写界深度条件を設定する処理と、
この処理により設定された被写界深度条件となるような撮影条件を取得する処理と、
この処理により取得された撮影条件で前記撮影処理による撮影を制御する撮影制御処理と、
を含み、上記各処理をコンピュータで実行させることを特徴とする。
【発明の効果】
【００４１】
請求項１記載の発明によれば、設定された被写界深度条件となるような撮影条件を取得し、該取得した撮影条件で被写体を撮影するので、同じ被写界深度を有する画像を何度でも得ることができる。
請求項２記載の発明によれば、検出された絞り値、被写体距離に応じて、設定された被写界深度条件となるような焦点距離で被写体を撮影するので、設定した被写界深度条件を有する画像となるような自動ズームを行うことができる。
また、絞り値や、被写体距離が変わっても、設定した被写界深度条件となるような画像を得ることができる。
【００４２】
請求項３記載の発明によれば、ユーザによって入力された絞り値を検出するので、ユーザによって入力された絞り値となるような画像を得ることができる。
請求項４記載の発明によれば、自動露出制御によって設定された絞り値を検出するので、絞り値を入力する等の手間を省くことができ、簡単に設定された被写界深度となるような画像を得ることができる。
【００４３】
請求項５記載の発明によれば、検出された焦点距離、被写体距離に応じて、設定された被写界深度条件となるような絞り値で被写体を撮影するので、設定した被写界深度条件を有する画像となるような自動露出を行うことができる。
また、焦点距離や被写体距離が変わっても、設定した被写界深度条件となるような画像を得ることができる。
【００４４】
請求項７記載の発明によれば、ユーザにより入力された数値データを被写界深度条件として設定するので、ユーザが所望する被写界深度条件を有する画像を簡単に得ることができる。
また、ユーザが所望の被写界深度の深浅や、前景や後景のピントの合う範囲や、ボケ具合などを加減した作画表現の撮影が初心者でも簡単に行うことができる。
【００４５】
請求項８記載の発明によれば、連続して被写体を撮影するので、一度に複数の画像を得ることができる。
請求項９記載の発明によれば、設定手段によって設定されていく異なる被写界深度条件となるような撮影条件で連続して撮影していくので、一度に複数の被写界深度条件の異なる画像を得ることができる。
【００４６】
請求項１０記載の発明によれば、少なくともユーザがブラケティングさせる被写界深度条件の補正間隔を入力する補正間隔入力手段を備え、前記設定手段は、補正間隔入力手段により入力された補正間隔にしたがって、異なる被写界深度条件を順次設定していくので、１回の撮影だけで、被写界深度条件の異なる複数の画像を得ることができる。
また、ユーザがブラケティングさせる被写界深度条件の補正間隔を入力することができるので、ブラケティングさせる被写界深度条件の幅を自由に設定することができる。
また、ユーザが所望する被写界深度条件となるような画像で撮影したものの、撮影した画像がユーザの好みに合わない場合でも、連続（ブラケティング）撮影により撮影した複数の画像の中から、所望の被写界深度の深浅やピントが合う範囲やボケ範囲となる画像を得ることができ、満足のいく画像を得ることができる。
【００４７】
また、ブラケティングする被写界深度条件の幅を自由に設定することができるので、連続（ブラケティング）撮影により撮影される画像の被写界深度の深浅や、ピントの合う範囲、ボケ範囲を調節することができ、所望の被写界深度条件を有する画像を得ることができる。
また、ある程度所望の被写界深度条件を入力しておき、補正間隔を調整することで、より適切、所望の画像を連続（ブラケティング）撮影により得ることができる。
【００４８】
請求項１１記載の発明によれば、撮影枚数を入力することができるので、その場の状況に応じて撮影枚数を入力することにより所望の画像を得ることができる。
例えば、ユーザが入力した画角により所望の画像をほぼ得ることができる場合には撮影枚数は少なくてすみ、ユーザが設定した画像の画角では所望の画像を得ることができない場合には撮影枚数は多くすることにより、所望の画像を得ることができる。
【００４９】
請求項１２記載の発明によれば、連続撮影制御手段は撮影の制御を行うごとに、被写界深度条件を変えるごとに、露出ブラケティング撮影等の撮影の制御を行うので、迅速にマルチブラケティング撮影を行うことができる。
例えば、焦点距離を変えることにより被写界深度条件をブラケティングさせて撮影する場合には、ズームレンズを無駄に移動させる必要がない。
【００５０】
請求項１３記載の発明によれば、撮影手段により撮影された画像を表示手段に表示させるので、ユーザは撮影しようとする被写体を容易に捉えることができる。
請求項１４、１５、１６記載の発明によれば、撮影手段により撮影された画像とともに、前記撮影手段により撮影された画像の撮影者から見た見かけ上の距離目盛を表した距離換算スケール表示を表示手段に表示させるので、撮影された被写体がユーザからどのくらいの距離にあるのかを容易に認識することができる。
【００５１】
請求項１７記載の発明によれば、絞り値、焦点距離及び被写体距離を検出し、該検出された絞り値、焦点距離及び被写体距離から撮影された画像の被写界深度条件及び被写界深度を算出して、表示手段に表示させるのでユーザが容易に撮影した画像の被写界深度条件及び被写界深度を認識することができる。
【００５２】
請求項１８記載の発明によれば、算出された被写界深度の深浅を距離換算スケール上に表示させるので、レンズの深度目盛を確認したり、ボケリングを調整する面倒もなく、表示手段に表示された画像の被写体を見ることにより、どの被写体が被写界深度内にいるのか、どの被写体が被写界深度外にいるのかを容易に認識することができ、被写界深度の深浅や、前後景でピントが合う範囲やボケる範囲を容易に確認することができる。
【００５３】
請求項１９記載の発明によれば、表示手段に撮影された画像を表示させるとともに、少なくとも絞り値と被写界深度の関係グラフ、焦点距離と被写体距離の関係グラフ、被写体距離と被写界深度の関係グラフのうち１を表示させるので、ユーザは、容易に絞り値や、焦点距離、被写体距離をどのくらいにすれば、どのくらいの被写界深度となるのか容易にわかる。
【００５４】
請求項２０記載の発明によれば、更に、絞り値、シャッタ速度、露出値、ホワイトバランス、焦点距離、ズーム倍率、被写体距離のうち少なくとも１つの情報を表示手段に表示させるので、ユーザは撮影する画像の撮影条件を容易に認識することができる。
【００５５】
請求項２１記載の発明によれば、撮影された画像を記録手段に記録するので、撮影した画像データを保存することができる。
請求項２２記載の発明によれば、撮影された画像データとともに該画像データが撮影されたときの被写界深度条件などを関連付けて記録するので、該画像データが撮影されときの詳細を知ることができる。
【００５６】
請求項２３記載の発明によれば、ユーザにより選択された撮影モードに対応する被写界深度条件で被写体を撮影するので、簡単にユーザは所望する被写界深度条件で被写体を撮影することができる。
請求項２４記載の発明によれば、ユーザが選択した撮影モードを判別して、外判別結果に基づいて適切なブラケティング撮影（例えば、撮影モードが人物の場合には、肌色ブラケティング撮影）を行うので、ユーザが所望する画像を得ることができる。
また、撮影モードを選ぶだけで、ブラケッティングの条件などを個々に設定する必要なしに、最もふさわしいブラケティング撮影を簡単に行うことができる。
【００５７】
請求項２５記載の発明によれば、記録手段に記録されている画像データを選択すると、該選択された画像データに関連付けられて記録されている被写界深度条件を被写界深度条件として設定するので、ユーザが選択した画像と同様の構図の画像を得ることができる。また、被写界深度条件を入力等の手間を省くことができ、簡単に所望の画像を撮影することができる。
【００５８】
請求項２６、２７記載の発明によれば、撮影手段により撮影された画像とともに、前記撮影手段により撮影された画像の撮影者から見た見かけ上の距離目盛を表した距離換算スケール表示を表示手段に表示させるので、撮影された被写体がユーザからどのくらいの距離にあるのかを容易に認識することができる。
【００５９】
請求項２８記載の発明によれば、絞り値、焦点距離、被写体距離を検出し、該検出された絞り値、焦点距離、被写体距離から撮影された画像の被写界深度限界近点等の被写界深度条件を算出して、表示手段に表示させるので、ユーザは容易に現在の被写界深度条件を認識することができる。
請求項２９記載の発明によれば、表示手段に撮影された画像を表示させるとともに、少なくとも絞り値と被写界深度の関係グラフ、焦点距離と被写体距離の関係グラフ、被写体距離と被写界深度の関係グラフのうち１を表示させるので、ユーザは、容易に絞り値や、焦点距離、被写体距離をどのくらいにすれば、どのくらいの被写界深度となるのか容易にわかる。
【００６０】
請求項３０記載の発明によれば、既存のデジタルカメラ、パソコン等に読み込ませることにより、本発明の撮影装置を実現することができる。
【発明を実施するための最良の形態】
【００６１】
以下、本実施の形態について、図面を参照して詳細に説明する。
[第１の実施の形態]
Ａ．デジタルカメラの構成
図１は、本発明の撮影装置を実現するデジタルカメラ１の電気的な概略構成を示すブロック図である。
デジタルカメラ１は、ＣＣＤ２、ＤＳＰ／ＣＰＵ３、ＴＧ（timing generator）４、ユニット回路５、ＤＲＡＭ６、フラッシュメモリ７、ＲＯＭ８、キー入力部９、画像表示部１０、カードＩ／Ｆ１１、モータ駆動回路１３、撮影レンズ１４、絞り兼用シャッタ１５を備えており、カードＩ／Ｆ１１には、図示しないデジタルカメラ１本体のカードスロットに着脱自在に装着されたメモリ・カード１２が接続されている。
【００６２】
撮影レンズ１４は、複数のレンズ群から構成されるフォーカスレンズ１４ａ、ズームレンズ１４ｂ等を含む。そして、撮影レンズ１４にはモータ駆動回路１３が接続されており、モータ駆動回路１３はＤＳＰ／ＣＰＵ３から送られてくる制御信号にしたがって、フォーカスレンズ１４ａ、ズームレンズ１４ｂを光軸方向に駆動させる。
絞り兼用シャッタ１５は図示しない駆動回路を含み、駆動回路はＤＳＰ／ＣＰＵ３から送られる制御信号に従って絞り兼用シャッタ１５を動作させる。
絞りとは、レンズから入ってくる光の量を制限する機構のことをいい、シャッタ速度とは、時間によってＣＣＤ３に当たる光の量を制限する機構のことをいう。この絞りとシャッタ速度によって露出量（Ｅｖ）が定められる。
【００６３】
ＣＣＤ２（撮像素子）は、投影された被写体を光電変換し、撮像信号としてユニット回路５に出力する。また、ＣＣＤ２はＴＧ４によって生成された所定周波数のタイミング信号に従って駆動される。ＴＧ４にはユニット回路５が接続されている。ユニット回路５は、ＣＣＤ２から出力される撮像信号を相関二重サンプリングして保持するＣＤＳ（Correlated Double sampling）回路、その撮像信号を増幅するゲイン調整アンプ（ＡＧＣ）、増幅後の撮像信号をデジタル信号に変換するＡ／Ｄ変換器から構成されており、ＣＣＤ２の出力信号はユニット回路５を経てデジタル信号としてＤＳＰ／ＣＰＵ３に送られる。
【００６４】
画像表示部１０はカラーＬＣＤとその駆動回路を含み、撮影待機状態にあるときにはＣＣＤ２によって撮像された被写体をとしてスルー画像として表示し、記録画像の再生時には、保存用メモリ・カード１２から読み出され伸張された記録画像を表示する。その他、後述する距離換算スケール、関係グラフ等を表示させる。この画像表示部１０は、本発明の表示手段に相当する。
キー入力部９は、半押し及び全押し操作が可能なシャッタボタン、実行キー、キャンセルキー、ＳＥＴキー、カーソルキー、自動ズームボタン、手動ズームボタン、モード設定キー等の複数の操作キーを含み、ユーザのキー操作に応じた操作信号をＤＳＰ／ＣＰＵ３に出力する。このキー入力部９は、本発明の数値入力手段、補正間隔入力手段、第１の選択手段、第２の選択手段として機能する。
ＤＲＡＭ６は、ＣＣＤ２によって撮像された後、デジタル化された被写体の画像データを一時記憶するバッファメモリとして使用されるとともに、ＤＳＰ／ＣＰＵ３にワーキングメモリとしても使用される。
【００６５】
ＤＳＰ／ＣＰＵ３は、画像ファイルの圧縮・伸張の処理を含む各種のデジタル信号処理機能を有するとともに電子カメラ２１の各部を制御するワンチップマイコンである。また、フラッシュメモリ７、ＲＯＭ８には、ＤＳＰ／ＣＰＵ３の各部に必要な制御プログラム、つまり、ＡＥやＡＦ等を含む各種の制御に必要なプログラム、及び必要なデータが記録されており、ＤＳＰ／ＣＰＵ３は、前記プログラムに従い動作することにより本発明の撮影装置として機能する。
【００６６】
ＡＦ処理においては、ユーザがキー入力部９のシャッタボタンを押下すると、それに応じたキー入力信号をＤＳＰ／ＣＰＵ３に出力する。そして、ＤＳＰ／ＣＰＵ３はその信号を受け取ると、モータ駆動回路１３に制御信号を送り、モータ駆動回路１３はその制御信号に従って、フォーカスレンズ１４ａを可動範囲内でレンズ端からレンズ端まで動かす。
ＣＣＤ２はフォーカスレンズ１４ａ、ズームレンズ１４ｂを介して投影された被写体を光電変換し撮像信号としてユニット回路５に出力し、ユニット回路５はＤＳＰ／ＣＰＵ３にデジタル信号を送る。そして、ＤＳＰ／ＣＰＵ３はユニット回路４から送られてくるデジタル信号に含まれる高周波成分を抽出し、その高周波成分を解釈して、モータ駆動回路１３に制御信号を送る。そして、モータ駆動回路１３はその制御信号に従い、フォーカスレンズ１４ａを動かす。
【００６７】
Ｂ．以下、本実施の形態におけるデジタルカメラ１の特徴となるそれぞれの構成の機能について説明する。
ＤＳＰ／ＣＰＵ３は、ＡＥ処理、ＡＦ処理を行うとＣＣＤ２による撮像を開始し被写体のスルー画像を画像表示部１０に表示させるとともに（撮影手段）、ＡＥ処理によって設定された絞り値Ｆ、被写体距離Ｌ及び焦点距離ｆを検出し（検出手段）、該検出された絞り値Ｆ、被写体距離Ｌ及び焦点距離及びＲＯＭ８に予め記録されている許容錯乱円直径δから前方被写界深度Ｔｆ、後方被写界深度Ｔｒ、被写界深度限界近点Ｌmin、被写界深度限界遠点Ｌmax、過焦点距離Ｌ∞をそれぞれ算出する。この機能は、本発明の算出手段に相当する。
【００６８】
焦点距離ｆはＡＦ処理が行われたときのズームレンズ１４ｂの位置から求められ、被写体距離ＬはＡＦ処理により設定されたフォーカスレンズ１４ａの位置によって求めることができる。なお、赤外線方式、位相差方式により被写体までの距離Ｌを求めるようにしてもよいし、ユーザが目測で入力した距離でもよい。
また、許容錯乱円直径δは予めＲＯＭ８に記録されている。
ここで、前方被写界深度Ｔｆは数式１の関係式によって算出することができ、後方被写界深度Ｔｒは数式２の関係式によって算出することができる。
また、被写界深度限界近点Ｌminは数式３の関係式によって算出することができ、被写界深度限界遠点Ｌmaxは数式４によって算出することができる。
過焦点距離Ｌ∞は数式５によって算出することができる。
【００６９】
【数１】
2005338614.tif 000003
【００７０】
【数２】
2005338614.tif 000004
【００７１】
【数３】
2005338614.tif 000005
【００７２】
【数４】
2005338614.tif 000006
【００７３】
【数５】
2005338614.tif 000007
【００７４】
ＤＳＰ／ＣＰＵ３は、被写界深度限界近点Ｌmin等の算出を行うと、距離換算スケールを被写体のスルー画像と重ねて画像表示部１０に表示させる（表示制御手段）。
距離換算スケールとは、画像表示部１０に表示される画像の撮影者からの見かけ上の距離を目盛で表示させることをいう。この距離換算スケールの表示方法については後述する。
ＤＳＰ／ＣＰＵ３は、距離換算スケールを画像表示部１０に表示させると、算出した被写界深度限界近点Ｌmin、被写界深度限界遠点Ｌmax、前方被写界深度Ｔｆ、後方被写界深度Ｔｒ、被写界深度Ｚのそれぞれの数値及び現在設定されている絞り値Ｆ、焦点距離ｆ等を画像表示部１０に表示させ、被写界深度Ｚの深浅を距離換算スケール上に表示させる（表示制御手段）。この被写界深度Ｚはユーザが見てわかるように色などをつけて区別表示させる。なお、被写界深度Ｚは、被写界深度限界近点Ｌmax−被写界深度限界近点Ｌmin、又は、前方被写界深度Ｔｆ＋後方被写界深度Ｔｒによって求められる。
【００７５】
そして、ＡＦ処理により設定された絞り値（現設定値）を増減したときの被写界深度限界近点Ｌmin、被写界深度限界遠点Ｌmax、を数式３及び数式４に従って複数算出し、該算出した被写界深度限界近点Ｌmin、被写界深度限界遠点Ｌmaxと絞り値Ｆとの関係のグラフを画像表示部１０に表示させる（表示制御手段）。また、このグラフ上に、現設定値の絞り値Ｆ、被写体距離Ｌ、過焦点距離Ｌ∞等を指針として、色などをつけるなどにより区別表示させる。
【００７６】
Ｂ−１．距離換算スケールの表示方法について
次に、距離換算スケールの表示方法について説明する。
まず、ＤＳＰ／ＣＰＵ３は、ＡＦ処理を行うと、焦点距離ｆ、撮像範囲Ｘ´から現在の撮像画像の画角θの算出を行い、ＤＲＡＭ６に記憶する。ここで、焦点距離ｆと画角θとの関係を図２を用いて説明する。
ＣＣＤ２からズームレンズ１４ｂまでの距離が焦点距離ｆであり、ズームレンズ１４ｂの位置により焦点距離ｆ、画角θが変わる。また、Ｘ´はＣＣＤ２の横の撮像範囲であり、Ｙ´はＣＣＤ２の縦の撮像範囲である。撮像する画像の画角θは、数式６に従って求めることができる。ここでは、算出された画角を４６°とする。
【００７７】
【数６】
2005338614.tif 000008
【００７８】
そして、ＤＳＰ／ＣＰＵ３は、算出された画角θが写し込むことができる水平地面上の最短距離Ｌ´を求める。
ここで、図３（ａ）は、画角θと画角θが写し込むことができる水平地面上の最短距離Ｌ´の関係を示したものである。
この図を見て明らかなように、ｈ／Ｌ´＝ｔａｎ（θ／２）となることから、算出された画角θが写し込むことができる距離Ｌ´は、Ｌ´＝ｈ／ｔａｎ（θ／２）となることがわかる。これにより、水平地面上の最短距離Ｌ´を求めることができる。ここでは、算出された最短距離Ｌ´を３．５ｍとする。なお、ｈは、撮影者の視線、撮影レンズの高さを意味し、ユーザが予めこの撮影レンズの高さｈを入力しておく。ここでは、撮影レンズの高さｈを１．５ｍと入力したものとする。
【００７９】
画角θに対応する水平面地上の最短距離Ｌ´の算出を行うと、単位目盛毎の距離Ｌ´ｉに相当する単位目盛毎の画角θｉを算出する。単位目盛毎の距離Ｌ´ｉとは、算出された水平地面上の最短距離Ｌ´が３．５ｍとすると、例えば、Ｌ´ｉ＝４ｍ、５．６ｍ、８．５ｍ、１７ｍ等の目盛となる水平地面上の最短距離をいう（撮影者から見た見かけ上の距離目盛）。
図３（ｂ）は、距離Ｌ´ｉに相当する画角θｉの関係を示したものである。
距離Ｌ´ｉが４ｍのときに対応する画角θは画角θｉ（４ｍ）となり、距離Ｌ´ｉが１７ｍのときに対応する画角θは画角θｉ（１７ｍ）となることがわかる。
この単位目盛毎の距離Ｌ´ｉに対応する画角θｉは数式７によって求めることができる。よって、距離Ｌ´ｉ＝４ｍのときに対応する画角θｉは約４０°となり、距離Ｌ´ｉ＝５．６ｍのときは画角θｉ≒３０°となり、距離Ｌ´ｉ＝８．５ｍのときは画角θｉ≒２０°となり、距離Ｌ´ｉ＝１７ｍのときは画角θｉ≒１０°となる。
【００８０】
【数７】
2005338614.tif 000009
【００８１】
そして、単位目盛毎の距離Ｌ´ｉに対応する単位目盛毎の画角θｉの算出を行うと、算出した単位目盛毎の画角θｉに対応する撮像位置（撮像素子上の位置、撮像素子の画素の位置など）Ｘ´ｉの算出、つまり、算出された単位目盛毎の画角θｉ（ここでは、１０°、２０°、３０°、４０°）に対応するＣＣＤ２上の位置の算出を行いＤＲＡＭ６に記憶する。なお、単位目盛毎の画角θｉから、該単位目盛毎の画角が写し込むことができる水平地面上の最短距離Ｌ´ｉ及び該単位目毎の画角に対応するＣＣＤ２上の位置の算出を行うようにしてもよい。
図４は、画角θｉと撮像位置（撮像素子の画素）Ｘ´ｉの関係を簡略に示した図である。
画角θｉ（４ｍ）の場合、その画角に対応するＣＣＤ２上の位置Ｘ´ｉはＸ´ｉ（４ｍ）の位置であることがわかる。また、画角θｉ（１７ｍ）の場合、その画角に対応するＣＣＤ２上の位置Ｘ´ｉはＸ´ｉ（１７ｍ）であることがわかる。
この画角θｉに対応する撮像位置Ｘ´ｉの算出は数式８に従って求めることができる。
【００８２】
【数８】
2005338614.tif 000010
【００８３】
ここでは、単位目盛毎の距離（距離目盛）Ｌ´ｉからその距離Ｌ´ｉに対応する画角θｉを求め、更に、画角θｉが対応する撮像位置Ｘ´ｉを算出するようにしたが、直接単位目盛毎の距離Ｌ´ｉからその距離Ｌ´ｉに対応する撮像位置（撮像素子の画素）Ｘ´ｉを求めるようにしてもよい。この場合には、Ｘ´ｉ＝２ｆｈ／Ｌ´ｉの関係式によって単位目盛毎の距離Ｌ´ｉから撮像位置Ｘ´ｉを算出することができる。この距離目盛から撮像位置Ｘ´ｉを算出する機能は、本発明の距離位置算出手段に相当する。
また、これとは逆にそれぞれの撮像位置（撮像素子の画素）Ｘ´ｉの位置から単位目盛毎の距離Ｌ´ｉを算出するようにしてもよい。この機能は、本発明の距離算出手段に相当する。この場合には、Ｌ´ｉ＝２ｆｈ／Ｘ´ｉの関係式によって、撮像位置Ｘ´ｉから距離Ｌ´ｉを算出することができる。
【００８４】
次に、ＤＳＰ／ＣＰＵ３は、距離換算スケールを画像表示部１０に表示させる（表示制御手段）。
図５（ｃ）は距離換算スケールを画像表示部１０に表示させたときの様子を示すものである。ここでは、距離換算スケールと同時に距離換算スケールに相当する画角も表示させている。
画像表示部１０内には、右上から左下の対角線上に画角目盛及び距離の目盛が表示されている。画像表示部１０の中央から左下に向かって、１７ｍ、８．５ｍ、５．６ｍ、４ｍの見かけ上の距離目盛（単位目盛毎の距離）が表示されている。また、画像表示部１０の中央から右上に向かって、１０°、２０°、３０°、４０°等の角度が表字されている。
【００８５】
この１７ｍ、８．５ｍ等の距離表示の直上にはそれぞれ横長の長方形が表示されており、この距離表示は、撮影者からこの横長の長方形の所在する位置までの見かけ上の距離を表わしている。つまり、４ｍとは、その直上の横長の長方形２０が、撮影者から見かけ上４ｍ離れた位置のあることを表わしている。同様にして、５．６ｍ、８．５ｍ、１７ｍとは、それぞれの直上の横長の長方形２１、２２、２３が、撮影者からそれぞれ見かけ上５.６ｍ、８．５ｍ、１７ｍ離れた位置であることを表わしている。なお、この距離目盛は横長の長方形の直下に表示させる必要はなく、ユーザから見てわかりやすい箇所に表示させるようにしてもよい。
【００８６】
また、１０°、２０°等の角度表示は、その角度表示の直下の横長の長方形内の画像の画角を表示している。つまり、４０°とは、その直下の横長の長方形２０内の画像の画角が２０°であることを表わしている。同様にして、３０°、２０°、１０°とは、それぞれの直下の横長の長方形２１、２２、２３内の画像の画角が、それぞれ、３０°、２０°、１０°であることを表わしている。なお、この画角目盛は、横長の長方形の直上に表示させる必要はなく、ユーザから見てわかりやすい箇所に表示させるようにしてもよい。
つまり、この横長の長方形２０〜２３は、撮影者からの見かけ上の距離及び画像の画角を表わしていることになる。
【００８７】
この横長の長方形の画像内の位置は、上記算出した単位目盛毎の距離Ｌ´ｉ（に対応する画角θｉ）に対応する撮像位置Ｘ´ｉによって定められる。
また、距離換算スケールを横長の長方形を用いて表わしたが、図５（ｄ）に示してあるように、横長の長方形の底辺だけを表示させるようにしてもよい。これにより、ユーザにとって見やすい距離換算スケール表示を行うことができる。
ここで、被写界深度限界近点Ｌminが４ｍであり、被写界深度限界近点が８．５ｍの場合に、距離換算スケール上に被写界深度Ｚの深浅を重ねて表示させると、図５（ｃ）に示すような距離換算スケール表示の場合は、図６（ｅ）のようになり、図５（ｄ）に示すような距離換算スケール表示の場合は、図６（ｆ）のようになる。なお、この距離換算スケール表示及び被写界深度表示は１例であり、他の表示態様で表示させるようにしてもよい。つまり、画像の見かけ上の撮影者からの距離、被写界深度Ｚがわかる方法であればどんな表示態様でもよい。
【００８８】
Ｃ．デジタルカメラ１の動作
第１の実施の形態におけるデジタルカメラ１の動作を図７のフローチャートに従って説明する。
ＡＥ・ＡＦ処理を行うと（ステップＳ１）、撮影レンズ１４を介してＣＣＤ２により撮像された被写体のスルー画像を画像表示部１０に表示させる（ステップＳ２）。
【００８９】
そして、前方被写界深度Ｔｆ、後方被写界深度Ｔｒ、被写界深度限界近点Ｌmin、被写界深度限界遠点Ｌmax、被写界深度Ｚ、過焦点距離Ｌ∞を、絞り値Ｆ、被写体距離Ｌ、許容錯乱円直径δ及び焦点距離ｆから算出する（ステップＳ３）。この前方被写界深度Ｔｆは数式１に従って、後方被写界深度Ｔｒは数式２に従って、被写界深度限界近点Ｌminは数式３に従って、被写界深度限界遠点Ｌmaxは数式４に従って算出する。また、被写界深度ＺはＬmax−Ｌmin、若しくは、Ｔｆ＋Ｔｒによって算出することができる。過焦点距離Ｌ∞は数式５に従って算出する。なお、絞り値ＦはステップＳ１のＡＥ処理によって設定された値を使用し、焦点距離ｆは、ステップＳ１のＡＦ処理が行われたときのズームレンズ１４ｂの位置によって、被写体距離ＬはそのときのＡＦ処理によって設定されたフォーカスレンズ１４ａの位置によって求めることができる。なお、絞りＦはユーザによって入力された値を使用してもよい。また、被写体距離Ｌは、赤外線方式、位相差方式により求めるようにしてもよいし、ユーザが目測で入力した距離でもよい。許容錯乱円直径δは、予めＲＯＭ８に記録されている。
【００９０】
そして、被写界深度限界近点Ｌmin等を算出すると画像表示部１０に距離換算スケールをスルー画像と重ねて表示させ（ステップＳ４）、算出した被写界深度限界近点Ｌmin、被写界深度限界遠点Ｌmax、前方被写界深度Ｔｆ、後方被写界深度Ｔｆ、被写界深度Ｚのそれぞれの数値及び絞り値Ｆ、焦点距離ｆなどを画像表示１０に表示させるとともに、被写界深度Ｚの深浅を距離換算スケール上に表示させる（ステップＳ５）。
【００９１】
図８はそのときの様子を示したものである。画像表示部１０の右上には、「Ｔｒ＝１１．８ｍ」、「Ｔｆ＝０．９ｍ」と表示されているのがわかる。つまり、後方被写界深度Ｔｒと前方被写界深度Ｔｆの値が表示されている。その右隣には、「Ｚ＝１２．８ｍ」と表示されており、これは被写界深度Ｚの値を表わしている。更にその隣には、被写界深度限界遠点Ｌmaxと被写界深度限界近点Ｌminとの値が表示されている。Ｌmaxは１３．８ｍであり、Ｌminは１．１ｍである。これらはステップＳ３で算出された値である。
また、左上には、「Ｆ２．８」と表示されており、この値は絞り値Ｆを示している。その左隣には、「ｆ＝６ｍｍ」と表示されており、これは焦点距離ｆを表示している。この絞り値Ｆの値は言うまでもなく、ステップＳ１のＡＥ処理によって設定された値であり、焦点距離ｆもステップＳ１のＡＦ処理時のズームレンズ１４ｂの位置によって求められたものである。
【００９２】
また、被写体のスルー画像及び距離換算スケール表示は枠３０（以下、画像表示枠３０）内に表示されている。
画像表示枠３０内には、被写体のスルー画像とともに距離換算スケールが表示されている。そして、この距離換算スケール上の網がかかっている部分が被写界深度Ｚを示している。つまり、この網がかかっている部分にいる被写体はピントの合った画像になり、この網がかかっていない部分にいる被写体はボケた（ピントの合っていない）画像になるということである。画像表示枠３０の中の線７０は、被写界深度内と被写界深度外の境界線であり、この線７０の位置が被写界深度限界遠点Ｌmaxである。つまり、被写界深度限界遠点Ｌmaxの値表示を見なくても、この距離換算スケール上に重ねて表示された被写界深度Ｚを見ることにより、ピントが合う限界の位置（被写界深度限界遠点Ｌmax）は、約１３〜１４ｍの間であることが即座にわかる。なお、この被写界深度Ｚはユーザから見てわかりやすいように、色などを付けて区別表示する。
【００９３】
そして、絞り値Ｆを現在設定した値（ステップＳ１のＡＥ処理で設定した値）より増減した場合の被写界深度限界近点Ｌmin、被写界深度限界遠点Ｌmax、を複数点算出する（ステップＳ６）。
そして、絞り値ＦとＬmax、Ｌmin（被写界深度）との関係グラフを画像表示部１０に表示させ（ステップＳ７）、この関係グラフ上に現在設定されている絞り値Ｆ（ＡＥ処理によって設定された絞り値Ｆ）、被写体距離Ｌ及び過焦点距離Ｌ∞を指針として区別表示する（ステップＳ８）。
【００９４】
この画像表示部１０に表示された関係グラフの様子を図８を用いて説明する。
図８の点線枠４０は、絞り値ＦとＬmax、Ｌmin（被写界深度）との関係グラフを示した図である。
このグラフの横軸は、絞り値を示しており、縦軸は撮影者からの距離を示している。線５０は絞り値Ｆを増減したときの被写界深度限界近点Ｌminの値を示しており、線６０は、絞り値Ｆを増減したときの被写界深度限界遠点Ｌmaxの値を示している。
この線５０と線６０との間の範囲（網がかかっている部分）が被写界深度Ｚであり、絞り値Ｆの値によって被写界深度Ｚの距離が異なることがわかる。また、このグラフ上の縦の太い線は現在設定されている絞り値Ｆ（Ｆ２．８）を示しており、横の太い線は現在の被写体距離Ｌ（ここでは、２ｍ）を表わしている。また、横の太い点線は過焦点距離Ｌ∞を示している。この縦の太い線、横の太い線及び横の太い点線は、指針として区別表示するため、色をつけたりしてユーザから見てわかりやすいように表示させる。
【００９５】
この関係グラフを拡大したものを図９に示す。この被写体距離Ｌから被写界深度限界遠点Ｌmaxまでの距離が前方被写界深度Ｔｒであり、被写体距離Ｌから被写界深度限界近点Ｌminまでの距離が後方被写界深度Ｔｆである。
つまり、現在設定されている絞り値Ｆ（縦の太い線）を見ることにより、現在設定されている被写界深度限界近点Ｌmax及び限界被写界深度限界近点Ｌminの距離がわかり、更に、被写体距離を見ることにより後方被写界深度Ｔｒ及び前方被写界深度Ｔｆの距離がわかる。
【００９６】
なお、画像表示部１０の８０部は、ズーム量を表わすものであり、８０部の上部には、「５×」と表示され、下部には、「１×」と表示されているのがわかる。この「５×」、「１×」はそれぞれ、「５倍ズーム」、「１倍ズーム」であることを表わしている。８０部の黒くなっている部分が「５×」の位置までくれば、５倍ズームで被写体を撮像し、８０部の黒くなっている部分がまったく表示されていない時は、ズームされていない状態で被写体を撮像していることになる。
現在は、ほとんどズームが行われていない状態で被写体を撮像していることがわかる。
【００９７】
次に、距離換算スケールの表示動作を図１０のフローチャートにしたがって説明する。
まず、ユーザのキー入力部９の操作により、入力された地上から視線までの高さ、カメラレンズの高さｈの設定を行う（ステップＳ１１）。そして、ＡＦ処理を行うと（ステップＳ１２）、単位目盛毎の距離（距離目盛）Ｌ´ｉに対応する撮像位置Ｘ´ｉ、又は、撮像位置Ｘ´ｉに対応する単位目盛毎の距離Ｌ´ｉの算出を行う（ステップＳ１３）。
【００９８】
この目盛単位毎の距離Ｌ´ｉとは、撮像された画像の見かけ上の撮影者からの距離を表わす目盛、つまり、５ｍ、１０ｍ、１５ｍ等の距離目盛のことをいい、この単位目盛毎の距離Ｌ´ｉに対応する撮像位置Ｘ´の算出とは、単位目盛毎の距離Ｌ´ｉに対応するＣＣＤ２上の位置をそれぞれ算出することをいう。
また、撮像位置Ｘ´ｉに対応する単位目盛毎の距離Ｌ´ｉの算出とは、ＣＣＤ２上のそれぞれの位置に対応する撮像された画像の見かけ上の撮影者からの距離をそれぞれ算出することをいう。
そして、この距離目盛（距離換算スケール）を画像表示枠３０に表示させる（ステップＳ１４）。
図８を見てわかるように、５ｍ、１０ｍ、１５ｍ等の距離目盛（単位目盛毎の距離Ｌ´ｉ）が表示され、この距離目盛は、それぞれ、線９０、線９１、線９２の位置の距離を表示し、この線９０、線９１、線９２の位置は算出した、単位目盛毎の距離Ｌ´ｉに対応する撮像位置Ｘ´ｉによってそれぞれ定められる。
【００９９】
以上のように、第１の実施の形態においては、被写界深度などを距離換算スケール上にスルー画像と重ねて表示させるので、レンズの深度目盛を確認したり、ボケリングを調整する面倒もなく、画像表示部１０を見ることにより被写界深度の深さ、前後景でピントが合う範囲やボケる範囲を容易に確認することができる。
また、距離換算スケールをスルー画像とともに重ねて表示させるので、ユーザは撮影されている被写体が撮影者からどのくらい離れた位置にいるのかを容易に認識することができる。
また、現在の被写界深度限界近点等の数値を画像表示部１０に表示させるので、ユーザは容易に現在の被写界深度限界近点等を認識することができる。また、絞り値と被写界深度限界（近点、遠点）の関係グラフを画像表示部１０に表示させるので、ユーザが絞り値をどのくらいにすれば、どのくらいの被写界深度限界近点等になるのかが容易にわかる。
【０１００】
なお、第１の実施の形態においては、ＡＦ・ＡＥ処理後に被写界深度等を距離スケール換算上にスルー画像と重ねて表示させたが、ＡＦ・ＡＥ処理前のスルー画像表示のときにも、スルー画像とともに距離換算スケールを表示させ、該スケール上に被写界深度を表示させるようにしてもよい。
また、絞り値、シャッタースピード、露出値、ホワイトバランス、焦点距離、被写体距離、ズーム倍率等の値を画像表示部１０に表示させるようにしてもよい。
【０１０１】
また、画像表示部１０には絞り値Ｆと被写界深度限界（近点Ｌmin、遠点Ｌmax）の関係グラフを表示させたが、焦点距離ｆと被写界深度限界（近点Ｌmin、遠点Ｌmax）の関係グラフや被写体距離Ｌと被写界深度限界（近点Ｌmin、遠点Ｌmax）の関係グラフを画像表示部１０に表示させるようにしてもよい。
また、この関係グラフはユーザのキー入力部９の操作により、絞り値Ｆと被写界深度限界の関係グラフから、焦点距離ｆと被写界深度限界の関係グラフ、被写体距離Ｌと被写界深度限界の関係グラフというように切り換わるようにしてもよい。
図１１（ｇ）は、焦点距離ｆと被写界深度限界（近点Ｌmin、遠点Ｌmax）の関係グラフを現したものであり、図１１（ｈ）は、被写体距離Ｌと被写界深度限界（近点Ｌmin、遠点Ｌmax）の関係グラフを表わしたものである。
この図１１（ｇ）の関係グラフの縦軸は撮影者からの距離を示しており、横軸は焦点距離ｆを示している。また、図１１（ｈ）の関係グラフの縦軸は撮影者からの距離を示しており、横軸は被写体距離Ｌを示している。
この図を見ると焦点距離ｆ、被写体距離Ｌが大きく（長く）なればなるほど被写界深度は深くなることがわかる。
【０１０２】
［第２の実施の形態］
第２の実施の形態においては、ユーザが前方被写界深度Ｔｆ、後方被写界深度Ｔｒ、被写界深度限界近点Ｌmin、被写界深度限界遠点Ｌmax等の被写界深度の撮影条件のうちどれか１つを入力することにより、入力された被写界深度の条件となるようにズームレンズ１４ｂを駆動させることにより被写体に対してズームを行うというものである。
【０１０３】
Ｄ．デジタルカメラ１の構成
第２の実施の形態も、図１に示したものと同様の構成を有するデジタルカメラ１を用いることにより本発明の撮影装置を実現する。
第２の実施の形態におけるデジタルカメラ１における、特徴となる構成の機能について説明する。
ＤＳＰ／ＣＰＵ３は、ユーザのキー入力部９の操作により入力された絞り値Ｆの設定を行う。そして、測光処理、ＷＢ処理などを行ってから、設定された絞り値Ｆ及び被写体距離Ｌを検出する（第１の検出手段）。この被写体距離Ｌの検出方法として、スルー画像表示の時には、一定のタイミング（時間変化、信号成分の変化等）でＡＦ動作を行い、又、撮影時においては、フォーカスレンズ１４ａを固定するので、そのフォーカスレンズの位置により被写体までの距離Ｌを求めるようにする。また、赤外線方式、位相差方式により被写体までの距離Ｌを求めるようにしてもよいし、ユーザが目測で入力した距離でもよい。
【０１０４】
そして、ＤＳＰ／ＣＰＵは、パンフォーカス自動ズームであるか否かを判断する。つまり、過焦点距離Ｌ∞が被写体距離Ｌとなるように自動ズームするか否かを判断する。この判断は、ユーザのキー入力部９の操作によりパンフォーカス自動ズームを選択する操作信号が送られて来たか否かにより判断する。パンフォーカス自動ズームであると判断すると、過焦点距離Ｌ∞を被写体距離Ｌとして設定する。
ＤＳＰ／ＣＰＵ３は、パンフォーカス自動ズームでないと判断すると、過焦点距離Ｌ∞設定による自動ズームであるか否かを判断する。この判断は、ユーザのキー入力部９の操作により過焦点距離Ｌ∞を入力する旨の操作信号が送られて来たか否かにより判断する。過焦点距離Ｌ∞設定による自動ズームであると判断すると、ユーザによって入力された値を過焦点距離Ｌ∞として設定する。
【０１０５】
ＤＳＰ／ＣＰＵ３、過焦点距離Ｌ∞設定による自動ズームでないと判断すると、被写界深度設定による自動ズームであるか否かを判断する。この判断は、ユーザのキー入力部９の操作により前方被写界深度Ｔｆ又は後方被写界深度Ｔｒを入力する旨の操作信号が送られて来たか否かにより判断する。被写界深度設定による自動ズームであると判断すると、ユーザによって入力された値を前方被写界深度Ｔｆ又は後方被写界深度Ｔｒとして設定する。
ＤＳＰ／ＣＰＵ３は、被写界深度設定による自動ズームでないと判断すると、被写界深度限界設定による自動ズームであるか否かを判断する。この判断は、ユーザのキー入力部９の操作により被写界深度限界近点Ｌmin又は被写界深度限界遠点Ｌmaxを入力する旨の操作信号が送られて来たか否かにより判断する。被写界深度限界設定による自動ズームであると判断すると、ユーザによって入力された値を被写界深度限界近点Ｌmin又は被写界深度限界遠点Ｌmaxとして設定する。
【０１０６】
ＤＳＰ／ＣＰＵ３は、被写界深度限界設定による自動ズームでないと判断すると、通常のズームであるか否かを判断する。この判断は、キー入力部９の手動ズームボタンによる操作信号が送られてきたか否かにより判断する。手動ズームボタンとは、ズームレンズ１４ｂを動かすためのボタンである。ユーザがこのＴを操作すると、Ｔｅｌｅ方向にズームレンズ１４ｂが駆動し、Ｗを操作するとＷｉｄｅ方向にズームレンズ１４ｂが駆動する。
通常のズームであると判断すると、手動ズームボタンの操作信号に従ってズームレンズ１４ｂを駆動させ、通常のズームでもないと判断すると、ズーム処理を行わない。
【０１０７】
なお、このパンフォーカス自動ズームや過焦点距離設定等による自動ズームであるか否かの判断は、予めユーザが設定モード等により過焦点距離ｆ、前方又は被写界深度（Ｔｆ又はＴｒ）等を設定しているか否かにより判断するようにしてもよい。例えば、ユーザが予め設定モードにより被写界深度限界遠点Ｌmaxを設定している場合には、被写界深度限界設定による自動ズームであると判断する。この場合には、既に設定を行っているので、再度設定を行う必要はない。
【０１０８】
一方、過焦点距離Ｌ∞、被写界深度（Ｔｆ又はＴｒ）、被写界深度限界（Ｌmin、Ｌmax）の設定を行うと、ユーザによって自動ズームボタンの操作が行われたか否かを判断する。この自動ズームボタンとは、上記設定した過焦点距離Ｌ∞、被写界深度限界（Ｌmin、Ｌmax）等の被写界深度条件となるようにズームを行うためのボタンである。
自動ズームボタンに相当する操作信号がキー入力部９から送られてきた場合には、該設定した被写界深度条件となるような焦点距離ｆを算出してＤＲＡＭ６に記憶する。この機能は、本発明の取得手段に相当する。
【０１０９】
この算出方法としては、過焦点距離Ｌ∞が設定された場合は数式９の関係式に従って、過焦点距離Ｌ∞が被写体距離Ｌと設定された場合は数式９の過焦点距離Ｌ∞を被写体距離Ｌに置き換えて焦点距離ｆを求めることができる。また、前方被写界深度Ｔｆが設定された場合には数式１０の関係式に従って、後方被写界深度Ｔｒが設定された場合は数式１１の関係式に従ってそれぞれ焦点距離ｆを算出する。また、被写界深度限界近点Ｌminが設定された場合は数式１２に示す関係式によって、被写界深度限界遠点Ｌmaxが設定された場合には数式１３に示す関係式によって、焦点距離ｆを算出する。
【０１１０】
【数９】
2005338614.tif 000011
【０１１１】
【数１０】
2005338614.tif 000012
【０１１２】
【数１１】
2005338614.tif 000013
【０１１３】
【数１２】
2005338614.tif 000014
【０１１４】
【数１３】
2005338614.tif 000015
【０１１５】
そして、該算出した焦点距離ｆが有効範囲内か否か、つまり、焦点距離ｆmin＜焦点距離ｆ＜焦点距離ｆmaxであるか否かを判断する。この有効範囲内とは、ズームレンズ１４ｂの可動範囲内か否かによって決まってくる。焦点距離ｆはズームレンズ１４ｂの位置によって定まるからである。
該算出した焦点距離ｆが有効範囲内である場合には、該焦点距離ｆとなるような位置にズームレンズ１４ｂを駆動させズームを行い、撮影を行う旨の指示があると静止画撮影処理を行う。この機能は、本発明の撮影制御手段に相当する。
一方、算出した焦点距離ｆが有効範囲内でないと判断するとエラー表示等の例外処理を行なう。
【０１１６】
Ｅ．デジタルカメラ１の動作
第２の実施の形態におけるデジタルカメラ１の動作を図１２、図１３のフローチャートに従って説明する。
ユーザのキー入力部９の操作により撮影モードに設定されると、静止画撮影モードであるか否かを判断する（ステップＳ２１）。静止画撮影モードに設定された場合は、ユーザによって入力された絞り値の設定を行う（ステップＳ２２）。ここでは、絞り値Ｆを「３．２」と設定したものとする。なお、ＡＥ処理などによって自動的に絞り値を設定するようにしてもよい。
一方、静止画撮影モードでないと判断すると、その他のモードに設定する。
【０１１７】
絞り値Ｆの設定を行うと、測光処理、ＷＢ処理等を行う。具体的には、測光値に基づく適正露出量（Ｅｖ）と設定絞り値Ｆから最適なシャッタ速度を設定し、また測光した光源入射光又は被写体反射光から光源の色温度などを求め、適切なホワイトバランスに設定する（ステップＳ２３）。なお、ステップＳ２２の絞り値Ｆの設定は、測光処理によって設定された絞り値であってもよい。
そして、被写体の撮影距離（被写体距離Ｌ）を検出する（ステップＳ２４）。ここでは、フォーカスレンズ１４ａの位置により、被写体距離Ｌを検出する。
【０１１８】
次いで、パンフォーカス自動ズーム、つまり、パンフォーカスのための自動ズームであるか否かを判断する（ステップＳ２５）。この判断は、ユーザのキー入力部９の操作により、過焦点距離Ｌ∞を被写体距離に設定する旨の操作信号があるか否かにより判断する。パンフォーカス自動ズームであると判断すると、ステップＳ２４で検出した被写体距離Ｌを過焦点距離Ｌ∞として設定する（ステップＳ２９）。
一方、パンフォーカス自動ズームでないと判断すると、過焦点距離Ｌ∞設定による自動ズームであるか否かを判断する（ステップＳ２６）。この判断は、ユーザのキー入力部９の操作により、過焦点距離Ｌ∞を入力する旨の操作信号があるか否かにより判断する。過焦点距離Ｌ∞設定による自動ズームであると判断すると、ユーザによって入力された値を過焦点距離Ｌ∞として設定する（ステップＳ３０）。
【０１１９】
一方、過焦点距離Ｌ∞設定による自動ズームでないと判断すると、被写界深度設定による自動ズームであるか否かを判断する（ステップＳ２７）。この判断は、ユーザのキー入力部９の操作により前方又は後方被写界深度（Ｔｆ又はＴｒ）を入力する旨の操作信号があるか否かにより判断する。被写界深度設定による自動ズームであると判断すると、ユーザによって入力された値を前方被写界深度Ｔｆ又は後方被写界深度Ｔｒとして設定する（ステップＳ３１）。
一方、被写界深度設定による自動ズームでないと判断すると、被写界深度限界設定による自動ズームであるか否かを判断する（ステップＳ２８）。この判断は、ユーザのキー入力部９の操作により、被写界深度限界近点Ｌmin又は被写界深度限界遠点Ｌmaxを入力する旨の操作信号があるか否かにより判断する。被写界深度限界設定による自動ズームであると判断すると、ユーザによって入力された値を被写界深度限界近点Ｌmin又は被写界深度限界遠点Ｌmaxとして設定する（ステップＳ３２）。
【０１２０】
一方、被写界深度限界設定による自動ズームでないと判断すると、通常のズームであるか否かを判断する（ステップＳ３７）。この判断は、手動ズームボタンに対応する操作信号があるか否かにより判断する。手動ズームボタンとは、ズームレンズ１４ｂを駆動させるためのボタンであり、Ｔ／Ｗボタンからなる。通常のズームであると判断すると、ズームボタンの操作に従いズームレンズ１４ａを駆動させて（ステップＳ３８）、ステップＳ３９に進み、通常のズームでないと判断するとそのままステップＳ３９に進む。
【０１２１】
なお、パンフォーカス自動ズームや被写界深度設定等による自動ズームであるか否かの判断は、予めユーザが設定モード等により過焦点距離ｆ、前方又は被写界深度（Ｔｆ又はＴｒ）等を設定しているか否かにより判断するようにしてもよい。例えば、ユーザが予め設定モードにより被写界深度限界遠点Ｌmaxを設定している場合には、被写界深度限界設定による自動ズームであると判断する。この場合には、既に設定を行っているので、ステップＳ３２で設定を行うことなくステップＳ３３に進む。他の場合も同様であり、ステップＳ２９、ステップＳ３０、ステップＳ３１の処理を経ることなくステップＳ３３に進む。
【０１２２】
ステップＳ２９、ステップＳ３０、ステップＳ３１、ステップＳ３２で過焦点距離Ｌ∞、前方又は後方被写界深度（Ｔｆ又はＴｒ）、被写界深度限界（近点Ｌmin、遠点Ｌmax）の設定を行うと、自動ズームボタンの操作が行われたか否かを判断する（ステップＳ３３）。自動ズームボタンとは、上記設定した過焦点距離Ｌ∞、被写界深度限界（Ｌmin、Ｌmax）等の被写界深度条件となるようにズームを行うためのボタンである。
自動ズームボタンの操作が行われていないと判断すると、ステップＳ３７に進み、自動ズームボタンの操作が行われたと判断すると焦点距離ｆの算出を行う（ステップＳ３４）。
【０１２３】
この焦点距離ｆの算出は、ステップＳ２９で過焦点距離Ｌ∞を被写体距離Ｌに設定した場合は、数式９の過焦点距離Ｌ∞を被写体距離Ｌに代えて、焦点距離ｆを算出し、ステップＳ３０でユーザが入力した値を過焦点距離Ｌ∞として設定した場合には、数式９の過焦点距離Ｌ∞に該入力した値を代入して焦点距離ｆを算出する。
また、ステップＳ３１でユーザが入力した値を前方被写界深度Ｔｆとして設定した場合には、数式１０の前方被写界深度Ｔｆに該入力した値を代入して焦点距離ｆを算出し、ユーザが入力した値を後方被写界深度Ｔｒとして設定した場合には、数式１１の後方被写界深度Ｔｒに該入力した値を代入して焦点距離ｆを算出する。
【０１２４】
また、ステップＳ３２でユーザが入力した値を被写界深度限界近点Ｌminとして設定した場合には、数式１２の被写界深度限界近点Ｌminに該入力した値を代入して焦点距離ｆを算出し、ユーザが入力した値を被写界深度限界遠点Ｌmaxとして設定した場合には、数式１３の被写界深度限界遠点Ｌmaxに該入力した値を代入して焦点距離ｆを算出する。
なお、絞り値ＦはステップＳ２２で設定した値、被写体距離ＬはステップＳ２４で検出した距離であり、許容錯乱円直径δは予めＲＯＭ８に記録されている。
【０１２５】
焦点距離ｆの算出を行うと、該算出した焦点距離ｆが有効範囲内であるか否か、つまり、焦点距離ｆmin＜焦点距離ｆ＜焦点距離ｆmaxであるか否かを判断する（ステップＳ３５）。この有効範囲内とは、ズームレンズ１４ｂの可動範囲内か否かによって決まってくる。焦点距離ｆはズームレンズ１４ｂの位置によって定まるからである。
有効範囲内でないと判断するとエラー表示等の例外処理を行い、有効範囲内であると判断すると、算出した焦点距離ｆに対応する位置にズームレンズ１４ｂを駆動させる（ステップＳ３６）。
【０１２６】
次いで、ＡＦ処理を行い（ステップＳ３９）、スルー画像とともに被写界深度の距離換算スケール上の表示、前方又は後方被写界深度（Ｔｆ又はＴｒ）、被写界深度限界（近点Ｌmin、遠点Ｌmax）の数値表示、関係グラフ等の表示を行う（ステップＳ４０）。このときの様子を図１４に示す。
図１４を見ると、後方被写界深度Ｔｒは「∞ｍ」であり、前方被写界深度Ｔｆは「２．６ｍ」である。また、被写界深度Ｚは「∞ｍ」であり、被写界深度限界遠点Ｌmaxは「∞ｍ」、被写界深度限界近点Ｌminは「１．４ｍ」、算出された焦点距離ｆは「６ｍｍ」であることが容易にわかる。また、絞り値Ｆは、ユーザが設定した値、つまり、「３．２」である。
【０１２７】
また、画像表示枠３０には、スルー画像とともに、距離換算スケールが表示され、この距離換算スケール上に被写界深度Ｚが表示されている。この画像表示枠３０を見れば、被写界深度Ｚ（網がかかっている部分）は∞まであることわかる。つまり、撮影者から１．４ｍ以降の離れた被写体であればピントが合うことが容易にわかる。
また、関係グラフ４０を見ると、絞り値Ｆを変えると、被写界深度限界近点Ｌmin（線５０）は異なるが、被写界深度限界遠点Ｌmaxは、∞ｍであることわかる。
【０１２８】
また、図１５は、絞り値Ｆ「３．２」はそのままで、後方被写界深度Ｔｒを「５．０ｍ」と設定して自動ズームしたときの画像表示部１０に表示される様子を示したものである。
図１５を見て明らかなように、後方被写界深度Ｔｒはユーザが設定した「５．０ｍ」であり、前方被写界深度Ｔｆは「１．４ｍ」、被写界深度Ｚは「６．４ｍ」であることが容易にわかる。
また、被写界深度限界近点Ｌmaxは、「９．０ｍ」であり、被写界深度限界近点Ｌminは「２．６ｍ」、算出された焦点距離ｆは「１１．２５ｍｍ」であることがわかる。つまり、図１３に示す画像より望遠ズームされていることとなる。なお、絞り値Ｆ「３．２」はユーザが設定した値がそのまま表示されている。
【０１２９】
また、画像表示枠３０を見ると、被写界深度Ｚは、撮影者から１０ｍ離れた位値の少し手前まで、つまり、線７０（被写界深度限界遠点Ｌmaxの位置）までしかないことがわかる。この図を見ることにより、被写体のピントの合う位置、ボケる位置が容易にわかる。
また、関係グラフ４０を見ると、絞り値Ｆを変えると、被写界深度限界近点Ｌmin（線５０）、被写界深度限界遠点Ｌmax（線６０）が変わることがわかる。
つまり、絞り値Ｆを変えた時の被写界深度Ｚが容易にわかり、絞り値Ｆを異ならせることにより、所望の被写界深度Ｚを得ることもできる。
【０１３０】
この距離換算スケール等を画像表示部１０に表示させると、被写体の撮影を行うか否かを判断し（ステップＳ４１）、撮影を行う場合は、測光処理及びＷＢ処理を行い（ステップＳ４２）、測光値に基づく適正露出量（Ｅｖ）と設定絞り値Ｆから最適なシャッタ速度の再設定を行う（ステップＳ４３）。
そして、静止画撮影処理を行い（ステップＳ４４）、得られた画像データを被写界深度条件（絞り値Ｆ、前方又は後方被写界深度等）とともにメモリ・カード１２（記録手段）に記録する（ステップＳ４５）。なお、画像データと被写界深度条件は関連付けられて記録される。
そして、その他のキー処理、表示処理等を行う（ステップＳ４６）。ステップＳ４１で撮影を行わないと判断した場合にも、ステップＳ４６に進み、その他のキー処理等の処理を行う。
【０１３１】
以上のように、第２の実施の形態においては、前方又は後方被写界深度や被写界深度限度（遠点、近点）、過焦点距離などの被写界深度条件を入力又は選択すると、設定された絞り値と合焦する被写体の撮影距離に応じて、設定した前方又は後方被写界深度等が得られる焦点距離に自動的にズームを行うので、設定した絞り値と被写界深度条件の画像が簡単に撮影することができる。
また、設定した絞り値、被写界深度条件となるような画像を何度でも撮影することができる。
【０１３２】
また、絞り値と被写界深度限界（近点、遠点）の関係グラフや、焦点距離を表示させるので、自動設定された被写界深度を加減補正する場合には、現在の被写界深度や関係グラフ、焦点距離を確認しながら、所定の被写界深度条件を設定するか、絞り値、焦点距離を加減補正することができ、所望の画像を撮影することができる。
ズーム倍率や被写体距離が変わっても、被写界深度条件は設定値を保つので、ユーザが所望の被写界深度の深浅や、前景や後景のピントの合う範囲やボケ具合などを加減した作画表現の撮影が初心者でも簡単に撮影することができる。
なお、カーソル操作やタッチパネル等により、画像表示部１０内の被写体像の位置や範囲、距離を直接指定して、所望の被写界深度条件を設定できるようにしてもよい。
【０１３３】
［第３の実施の形態］
第３の実施の形態においては、焦点距離ｆ、ズーム倍率を保持したまま、ユーザが設定した被写界深度条件となるように、露出条件を自動設定するというものである。
【０１３４】
Ｆ．デジタルカメラ１の構成
第３の実施の形態も、図１に示したものと同様の構成を有するデジタルカメラ１を用いることにより本発明の撮影装置を実現する。
第３の実施の形態におけるデジタルカメラ１における、特徴となる構成の機能について説明する。
【０１３５】
ＤＳＰ／ＣＰＵ３は、測光処理、ズーム処理、ＡＦ処理等を行うと、合焦した被写体距離Ｌ、焦点距離ｆを検出する（第２の検出手段）。被写体距離ＬはＡＦ処理により設定されたフォーカスレンズ１４ａの位置により検出され、焦点距離ｆはＡＦ処理のときズームレンズ１４ｂの位置によって検出される。
そして、ＤＳＰ／ＣＰＵ３は、パンフォーカス自動露出であるか否かを判断する。つまり、過焦点距離Ｌ∞が被写体距離Ｌとなるように、絞り値Ｆを設定することをいう。この判断は、ユーザのキー入力部９の操作によりパンフォーカス自動露出を選択する操作信号が送られて来たか否かにより判断する。パンフォーカス自動露出であると判断すると、過焦点距離Ｌ∞を被写体距離Ｌとして設定する。
【０１３６】
ＤＳＰ／ＣＰＵ３は、パンフォーカス自動露出でないと判断すると、過焦点距離設定による自動露出であるか否かを判断する。この判断は、ユーザのキー入力部９の操作により過焦点距離Ｌ∞を入力する旨の操作信号が送られて来たか否かにより判断する。過焦点距離設定による自動露出であると判断すると、ユーザによって入力された値を過焦点距離Ｌ∞として設定する。
ＤＳＰ／ＣＰＵ３は、過焦点距離Ｌ∞設定による自動ズームでないと判断すると、被写界深度設定による自動露出であるか否かを判断する。この判断は、ユーザのキー入力部９の操作により前方被写界深度Ｔｆ又は後方被写界深度Ｔｒを入力する旨の操作信号が送られてきたか否かにより判断する。被写界深度設定による自動露出であると判断すると、ユーザによって入力された値を前方被写界深度Ｔｆ又は後方被写界深度Ｔｒとして設定する。
【０１３７】
ＤＳＰ／ＣＰＵ３は、被写界深度設定による自動露出でないと判断すると、被写界深度限界設定による自動露出であるか否かを判断する。この判断は、ユーザのキー入力部９の操作により被写界深度限界近点Ｌmin、被写界深度限界遠点Ｌmaxを入力する旨の操作信号が送られて来たか否かにより判断する。被写界深度限界設定による自動露出であると判断すると、ユーザによって入力された値を被写界深度限界近点Ｌmin又は被写界深度限界遠点Ｌmaxとして設定する。
ＤＳＰ／ＣＰＵ３は、被写界深度限界による自動露出でないと判断すると、ユーザに絞り値Ｆを入力させ、該入力された値を絞り値Ｆとして設定する。
【０１３８】
なお、このパンフォーカス自動露出や過焦点距離設定等による自動露出であるか否かの判断は、予めユーザが設定モード等により過焦点距離ｆ、前方又は被写界深度（Ｔｆ又はＴｒ）等を設定しているか否かにより判断するようにしてもよい。例えば、ユーザが予め設定モードにより被写界深度限界遠点Ｌmaxを設定している場合には、被写界深度限界設定による自動露出であると判断する。この場合には、被写界深度限界遠点Ｌmaxは既に設定されているので、被写界深度設定による自動露出であると判断しても、被写界深度限界近点Ｌmaxの設定を行う必要はない。
【０１３９】
そして、過焦点距離Ｌ∞、前方又は後方被写界深度（Ｔｆ又はＴｒ）、被写界深度限界（近点Ｌmin又は遠点Ｌmax）を設定した場合には、該設定した値から絞り値Ｆの算出して、該算出した値を絞り値Ｆとして設定する（取得手段）。
この算出方法としては、パンフォーカス自動露出の場合、つまり、過焦点距離Ｌ∞＝被写体距離Ｌとして設定した場合は、又は、ユーザによって過焦点距離Ｌ∞が入力された場合は、数式１４の関係式に従って絞り値Ｆを算出する。
また、ユーザによって前方被写界深度Ｔｆが入力された場合は、数式１５の関係式に従って絞り値Ｆを算出し、後方被写界深度Ｔｒが入力された場合は、数式１６の関係式に従って絞り値Ｆを算出する。
また、ユーザによって被写界深度限界近点Ｌminが入力された場合は、数式１７の関係式に従って絞り値Ｆを算出し、後方被写界深度限界遠点Ｌmaxが入力された場合は、数式１８の関係式に従って絞り値Ｆを算出する。
【０１４０】
【数１４】
2005338614.tif 000016
【０１４１】
【数１５】
2005338614.tif 000017
【０１４２】
【数１６】
2005338614.tif 000018
【０１４３】
【数１７】
2005338614.tif 000019
【０１４４】
【数１８】
2005338614.tif 000020
【０１４５】
そして、ＤＳＰ／ＣＰＵは、算出した値を絞り値Ｆとして設定又は、ユーザによって入力された値を絞り値Ｆとして設定すると、測光値に基づく適切な露出量（ＥＶ）と設定した絞り値Ｆからシャッタ速度を算出して設定する。
そして、設定された絞り値Ｆとシャッタ速度が有効範囲内か否かを判断し、有効範囲内である場合には被写体の撮影を行う（撮影制御手段）。
有効範囲外である場合には、エラー表示などの例外処理を行う。
【０１４６】
Ｇ．デジタルカメラ１の動作
第３の実施の形態におけるデジタルカメラ１の動作を図１６、図１７のフローチャートに従って説明する。
ユーザのキー入力部９の操作により撮影モードに設定されると、静止画撮影モードであるか否かを判断する（ステップＳ５１）。静止画撮影モードでないと判断するとその他のモードの処理を行う。
静止画撮影モードである場合には、測光処理、ＷＢ処理等を行う（ステップＳ５２）。
【０１４７】
そして、ズーム処理、ＡＦ処理等を行い（ステップＳ５３）、合焦した被写体距離Ｌ、焦点距離ｆを検出する（ステップＳ５４）。この被写体距離Ｌは、ＡＦ処理によって設定されたフォーカスレンズ１４ａの位置によって検出することができる。なお、位相差検出方式、赤外線検出方式により被写体までの距離を検出してもよいし、ユーザによって入力された距離でもよい。また、焦点距離ｆは、ＡＦ処理が行われたときのズームレンズ１４ｂの位置によって検出することができる。
次いで、パンフォーカス自動露出であるかどうかを判断する（ステップＳ５５）。つまり、過焦点距離Ｌ∞が被写体距離Ｌとなるように、絞り値Ｆを設定することをいう。この判断は、ユーザのキー入力部９の操作によりパンフォーカス自動露出を選択する操作信号が送られて来たか否かにより判断する。パンフォーカス自動露出であると判断すると、過焦点距離Ｌ∞を被写体距離Ｌとして設定する（ステップＳ５９）。
【０１４８】
一方、パンフォーカス自動露出でないと判断すると、過焦点距離設定による自動露出であるかどうか判断する（ステップＳ５６）。この判断は、ユーザのキー入力部９の操作により過焦点距離Ｌ∞を入力する旨の操作信号が送られて来たか否かにより判断する。過焦点距離設定による自動露出であると判断すると、ユーザによって入力された値を過焦点距離Ｌ∞として設定する（ステップＳ６０）。
一方、過焦点距離設定による自動露出でないと判断すると、被写界深度設定による自動露出であるかどうかを判断する（ステップＳ５７）。この判断は、ユーザのキー入力部９の操作により前方被写界深度Ｔｆ又は後方被写界深度Ｔｒを入力する旨の操作信号が送られてきたか否かにより判断する。被写界深度設定による自動露出であると判断すると、ユーザによって入力された値を前方被写界深度Ｔｆ、又は、後方被写界深度Ｔｒとして設定する（ステップＳ６１）。
【０１４９】
一方、被写界深度設定による自動露出でないと判断すると、被写界深度限界設定による自動露出であるかどうかを判断する（ステップＳ５８）。この判断は、ユーザのキー入力部９の操作により被写界深度限界近点Ｌmin、又は、被写界深度限界遠点Ｌmaxを入力する旨の操作信号が送られてきたか否かにより判断する。被写界深度限界設定による自動露出であると判断すると、ユーザによって入力された値を被写界深度限界近、又は、被写界深度限界遠点Ｌmaxとして設定する（ステップＳ６２）。
一方、被写界深度限界設定による自動露出でないと判断すると、ユーザに絞り値Ｆを入力させ、該入力された値を絞り値Ｆとして設定し（ステップＳ６４）、ステップＳ６５に進む。
【０１５０】
なお、パンフォーカス自動露出や被写界深度設定等による自動露出であるか否かの判断は、予めユーザが設定モード等により過焦点距離ｆ、前方又は被写界深度（Ｔｆ又はＴｒ）等を設定しているか否かにより判断するようにしてもよい。例えば、ユーザが予め設定モードにより被写界深度限界遠点Ｌmaxを設定している場合には、被写界深度限界設定による自動露出であると判断する。この場合には、既に設定を行っているので、ステップＳ６２で設定を行うことなくステップＳ６３に進む。他の場合も同様であり、ステップＳ５９、ステップＳ６０、ステップＳ６１の処理を経ることなくステップＳ６３に進む。
【０１５１】
また、ステップＳ５９、ステップＳ６０、ステップＳ６１、ステップＳ６２で過焦点距離Ｌ∞、前方又は後方被写界深度（Ｔｆ又はＴｒ）、被写界深度限界（近点Ｌmin又は遠点Ｌmax）の設定を行うと、該設定した過焦点距離Ｌ∞、又は前方又は後方被写界深度（Ｔｆ又はＴｒ）、又は被写界深度限界（近点Ｌmin又は遠点Ｌmax）となるような絞り値Ｆを算出して、該算出した値を絞り値Ｆとして設定する（ステップＳ６３）。
この算出方法としては、ステップＳ５９で過焦点距離Ｌ∞を被写体距離Ｌとして設定した場合は、数式１４の過焦点距離Ｌ∞を被写体距離Ｌに代えて絞り値Ｆを算出し、ステップＳ６０でユーザが入力した値を過焦点距離Ｌ∞として設定した場合は、数式１４の過焦点距離Ｌ∞該入力した値を代入して絞り値Ｆを算出する。
【０１５２】
また、ステップＳ６１でユーザが入力した値を前方被写界深度Ｔｆとして設定した場合には、数式１５の前方被写界深度Ｔｆに該入力した値を代入して絞り値Ｆを算出し、ユーザが入力した値を後方被写界深度Ｔｒとして設定した場合には、数式１６の後方被写界深度Ｔｒに該入力した値を代入して絞り値Ｆを算出する。
また、ステップＳ６２でユーザが入力した値を被写界深度限界近点Ｌminとして設定した場合には、数式１７の被写界深度限界近点Ｌminに該入力した値を代入して絞り値Ｆを算出し、ユーザが入力した値を被写界深度限界遠点Ｌmaxとして設定した場合には、数式１８の被写界深度限界遠点Ｌmaxに該入力した値を代入して絞り値Ｆを算出する。
【０１５３】
そして、ステップＳ６３又はステップＳ６４で絞り値Ｆの設定を行うと、測距処理に基づく適切な露出量（Ｅｖ）と設定した絞り値Ｆとからシャッタ速度を算出して設定する（ステップＳ６５）。
次いで、設定した絞り値Ｆ及びシャッタ速度（露出条件）が有効範囲内かどうかを判断し（ステップＳ６６）、有効範囲内でないと判断するとエラー表示等の例外処理を行い、有効範囲内であると判断すると、露出条件（絞り値Ｆ、シャッタ速度）設定後の状態での被写界深度、被写界深度限界（近点Ｌmin、遠点Ｌmax）、その他の撮影条件等を被写体のスルー画像とともに画像表示部１０に表示させる（ステップＳ６７）。
この表示は第１の実施の形態で説明したように、距離スケール上に被写界深度Ｚを表示させたり、被写界深度Ｚ等の数値表示、関係グラフなどを表示させる。
【０１５４】
そして、被写体の撮影を行うか否かを判断し（ステップＳ６８）、撮影を行う場合は、測光処理及びＷＢ処理を行い（ステップＳ６９）、測光値に基づく適正露出量（Ｅｖ）と設定絞り値Ｆからシャッタ速度の再設定を行う（ステップＳ７０）。
そして、設定した撮影条件で静止画撮影処理を行い（ステップＳ７１）、得られた画像データを被写界深度条件（絞り値Ｆ、前方又は後方被写界深度等）とともにメモリ・カード１２に記録する（ステップＳ７２）。なお、画像データと被写界深度条件は関連付けられて記録される。
そして、その他のキー処理、表示処理等を行う（ステップＳ７３）。
一方、ステップＳ６８で撮影を行わないと判断した場合も、ステップＳ７３に進み、その他のキー処理等を行う。
【０１５５】
以上のように第３の実施の形態においては、前方又は後方被写界深度や被写界深度限度（遠点、近点）、過焦点距離などの被写界深度条件を入力又は選択すると、焦点距離ｆと合焦する被写体の撮影距離に応じて、設定した前方又は後方被写界深度等が得られる絞り値となるように自動露出を行うので、設定被写界深度条件の画像が簡単に撮影することができる。
また、同じ被写界深度条件となるような画像を何回でも撮影することができる。
【０１５６】
また、絞り値と被写界深度限界（近点、遠点）の関係グラフや、焦点距離を表示させるので、自動設定された被写界深度を加減補正する場合には、現在の被写界深度や関係グラフ、焦点距離を確認しながら、所定の被写界深度条件を設定するか、絞り値、焦点距離を加減補正することができ、所望の画像を撮影することができる。
ズーム倍率や被写体距離が変わっても、被写界深度条件は設定値を保つので、ユーザが所望の被写界深度の深浅や、前景や後景のピントの合う範囲やボケ具合などを加減した作画表現の撮影が初心者でも簡単に撮影することができる。
なお、カーソル操作やタッチパネル等により、画像表示部１０内の被写体像の位置や範囲、距離を直接指定して、所望の被写界深度条件を設定できるようにしてもよい。
【０１５７】
［第４の実施の形態］
第４の実施の形態においては、ユーザにより設定された被写界深度条件等によりブラケティング撮影を行うというものである。
【０１５８】
Ｈ．デジタルカメラ１の構成
第４の実施の形態も、図１に示したものと同様の構成を有するデジタルカメラ１を用いることにより本発明の撮影装置を実現する。
第４の実施の形態におけるデジタルカメラ１における、特徴となる構成の機能について説明する。
【０１５９】
ＤＳＰ／ＣＰＵは、ユーザのキー入力部９の操作により設定モードに設定され、被写界深度ブラケティング撮影用の撮影条件である補正間隔、補正順序、撮影枚数が入力されると、該入力されたブラケティング撮影の撮影条件の設定を行う。
ここで。補正間隔とは、被写界深度ブラケティング撮影でブラケティングされていく間隔のことをいう。ここで、前方又は後方被写界深度（Ｔｆ又はＴｒ）をブラケティングさせていく場合は、補正間隔がΔＴｆ又はΔＴｒとなり、被写界深度限界（近点Ｌmin又は遠点Ｌmax）をブラケティングさせていく場合は、補正間隔がΔＬmin、ΔＬmaxとなる。例えば、補正間隔ΔＴｒが１０ｍの場合には、後方被写界深度Ｔｒを１０ｍずつ変えて被写体を撮影することとなる。
【０１６０】
また、補正順序には、上り方向（＋方向）、下り方向（−方向）、０＋−順、０−＋順などがある。例えば、０を補正のない初期の被写界深度条件とすれば、上り方向（＋方向）の場合は、・・→（−２補正間隔）→（−１補正間隔）→（０、補正なし）→（＋１補正間隔）→（＋２補正間隔）→・・の順となり、下り方向（−方向）の場合は、・・→（＋２補正間隔）→（＋１補正間隔）→（０、補正なし）→（−１補正間隔）→（−２補正間隔）→・・の順となる。
また、０＋−順の場合は、（０、補正なし）→（＋１補正間隔）→（＋２補正間隔）→・・→（−１補正間隔）→（−２補正間隔）→・・・の順となり、０−＋順の場合は、（０、補正なし）→（−１補正間隔）→（−２補正間隔）→・・→（＋１補正間隔）→（＋２補正間隔）→・・の順となる。
また、撮影枚数とは、ブラケティング撮影により一度に連続撮影する回数のことをいう。
【０１６１】
そして、ＤＳＰ／ＣＰＵ３は、該設定したブブラケティング撮影用の撮影条件で被写体をブラケティング撮影すると判断すると、該設定した撮影条件に従って、ブラケティング撮影を行う（連続撮影制御手段）。
例えば、補正間隔をΔＴｒ、補正順序を上り方向、撮影枚数を５と設定した場合は、１枚目（Ｔｒ−２ΔＴｒ）→２枚目（Ｔｒ−ΔＴｒ）→３枚目（Ｔｒ）→４枚目（Ｔｒ＋ΔＴｒ）→５枚目（Ｔｒ＋２ΔＴｒ）となるような画像を撮影するので、まず１枚目の画像の後方被写界深度（Ｔｒ−２ΔＴｒ）を設定し（設定手段）、該設定した後方被写界深度となるような絞り値Ｆを算出し（取得手段）、該算出した絞り値Ｆで撮影を行う（連続撮影制御手段）。そして、２枚目の画像の後方被写界深度（Ｔｒ−ΔＴｒ）を設定し（設定手段）、該設定した後方被写界深度となるような絞り値Ｆを算出し（取得手段）、該算出した絞り値Ｆで撮影を行う（連続撮影制御手段）、という動作を５枚目の画像の撮影まで行う。この絞り値Ｆの算出方法については第３の実施の形態で述べたとおりである。
【０１６２】
なお、ここではブラケティング撮影による撮影される画像ごとに絞り値Ｆを算出して撮影したが、焦点距離ｆを算出して撮影するようにしてもよい。
つまり、まず１枚目の画像の後方被写界深度（Ｔｒ−２ΔＴｒ）となるような焦点距離ｆを算出し、該算出した焦点距離ｆとなるようにズームレンズ１４ｂを駆動させてから撮影を行う。そして、２枚目の画像の後方被写界深度（Ｔｒ−ΔＴｒ）となるような焦点距離ｆを算出し、該算出した焦点距離ｆとなるようにズームレンズ１４ｂを駆動させて撮影を行う、という動作を５枚目の画像の撮影まで行うこととなる。
【０１６３】
Ｉ．デジタルカメラ１の動作
第４の実施の形態におけるデジタルカメラ１の動作を図１８、図１９のフローチャートに従って説明するが、ここでは、補正間隔をΔＴｒと限定したとき、つまり、後方被写界深度Ｔｒをブラケティングして撮影するときのデジタルカメラの動作に限定して説明する。
なお、補正間隔をΔＴｆ、ΔＬmin、ΔＬmaxとした場合でも基本的な処理はΔＴｒと変わらない。
【０１６４】
ユーザのキー入力部９の操作によりモードが設定されると、ステップ８１で、静止画撮影モードであるか否かを判断し（ステップＳ８１）、静止画撮影モードでないと判断すると、設定モードであるか否かを判断する（ステップＳ８２）。
ステップＳ８２で設定モードであると判断すると、被写界深度ブラケット設定であるか否かを判断する（ステップＳ８３）。被写界深度ブラケット設定とは、被写界深度ブラケティング撮影により撮影するための補正間隔「ΔＴｒ」、補正順序、撮影枚数「２ｋ＋１枚」などの撮影条件を設定することをいう。
【０１６５】
被写界深度ブラケット設定であると判断すると、ユーザによって入力された補正間隔「ΔＴｒ」、撮影枚数「２ｋ＋１」、補正順序等の設定を行い（ステップＳ８４）、ステップＳ８１に戻る。この補正間隔、撮影順序等のユーザの入力方法については後述する。ここでは、後方被写界深度Ｔｒの補正間隔「ΔＴｒ＝１０ｍ」、補正順序「上り順」、撮影枚数「２ｋ＋１＝３枚」と設定したとする。なお、撮影枚数を３枚と設定したので、ｋ＝１となる。
一方、ステップＳ８２に設定モードでないと判断するとその他のモードの処理を行い、ステップＳ８３で被写界深度ブラケット設定でないと判断するとその他の設定処理を行う。
【０１６６】
ステップＳ８１で静止画撮影モードであると判断すると、測光処理、ＷＢ処理等を行う（ステップＳ８５）。そして、ズーム処理、ａｆ処理を行い（ステップｓ８６）、現在設定されている絞り値ｆ、被写体距離Ｌ、焦点距離ｆから過焦点距離ｌ∞０、前方又は後方被写界深度（Ｔｒ０、Ｔｆ０）、被写界深度限界（近点Ｌmin０、遠点Ｌmax０）の算出を行う（ステップＳ８７）。この算出は、上述したように、数式１から数式５に従って算出する。なお、このＴｒ０、Ｔｆ０等の値は、ブラケティング撮影で撮影される画像の基準となる被写界深度条件の値を示している。
そして、被写体のスルー画像とともに距離換算スケール、ステップＳ８７で算出した前方又は後方被写界深度（Ｔｆ０、Ｔｒ０）等の数値、関係グラフなどを画像表示部１０に表示させ、被写界深度Ｚを距離換算スケール上に表示させる（ステップＳ８８）。
【０１６７】
図２１は、そのときの画像表示部１０の様子を示したものである。
後方被写界深度Ｔｒ（＝Ｔｒ０）＝２０ｍ、前方被写界深度Ｔｆ（＝Ｔｆ０）＝１．８ｍ、被写界深度Ｚ（＝Ｚ０）＝２１．８ｍ、被写界深度限界遠点Ｌmax（＝Ｌmax０）＝２４．０ｍ、被写界深度限界近点Ｌmin（＝Ｌmin０）＝２．２ｍであることがわかる。また、焦点距離ｆ＝１８ｍｍ、絞り値Ｆ＝１２．３である。
そして、被写体の撮影を行うか否かを判断する（ステップＳ８９）。この判断は、シャッタボタンの操作、若しくはブラケティング撮影ボタンの操作に対応する操作信号がキー入力部９から送られてきたか否かにより判断する。撮影を行わないと判断するとステップＳ９９に進み、撮影を行うと判断すると、被写界深度ブラケティング撮影であるか否かを判断する（ステップＳ９０）。この判断は、ブラケティング撮影ボタンの操作に対応する操作信号がキー入力部９から送られてきたか否かにより判断する。なお、静止画撮影用のシャッタボタンとブラケティング撮影ボタンを別個に設けたが、予めユーザがブラケティング撮影を行う旨を指示しておき、シャッタボタンを押下するとブラケティング撮影を行うようにしてもよい。
【０１６８】
そして、ブラケティング撮影でないと判断するとその他の撮影処理を行い、ブラケティング撮影であると判断すると、ブラケティング撮影を行うべくステップＳ９１に進む。
まず、ブラケティング撮影を行うと判断すると（ステップＳ９０でＹに分岐）、ステップＳ８４で設定された撮影順序が上り順であるか否かを判断する（ステップＳ９１）。ステップＳ８４で補正順序を「上り順」と設定したので、ステップＳ９２に進み、後方被写界深度の初期値Ｔｒ１（Ｔｒ１＝Ｔｒ０−ｋΔＴｒ）の設定を行う。ここでの初期値とは、ブラケティング撮影で最初に撮影する画像の後方被写界深度Ｔｒの値のことをいう。なお、補正間隔をΔＬmin等に設定した場合には、初期値はブラケティング撮影で最初に撮影する画像の被写界深度限界近点Ｌmin１（Ｌmin１＝Ｌmin０−ｋΔＬmin）等となる。
【０１６９】
ここでは、Ｔｒ０＝２０ｍ、ΔＴｒ＝１０、ｋ＝１（撮影枚数３枚＝２ｋ＋１から）、初期値Ｔｒ１は、「Ｔｒ１＝２０ｍ−１・１０ｍ＝１０ｍ」となる。
そして、撮影順序ｍを「ｍ＝＋１」に設定して（ステップＳ９３）、ステップＳ９４に進む。
一方、ステップＳ９１で撮影順序が上り順でないと判断すると、撮影順序が下り順であるか否かを判断する（ステップＳ１００）。撮影順序が下り順であると判断すると、後方被写界深度の初期値Ｔｒ１(Ｔｒ１＝Ｔｒ０＋ｋ・Δｔｒ)の設定を行う（ステップＳ１０１）。この場合の初期値Ｔｒ１は、「Ｔｒ１＝２０ｍ＋１・１０ｍ＝３０ｍ」となる。そして、撮影順序ｍを「ｍ＝−１」と設定して（ステップＳ１０２）、ステップＳ９４に進む。
ステップＳ９４に進むと、撮影済み枚数ｊを「ｊ＝０」、撮影枚数ｎを「ｎ＝２ｋ＋１＝３枚」と設定して、被写界深度補正撮影処理を行う（ステップＳ９５）。
【０１７０】
ここで、被写界深度補正撮影処理の動作を図２０のフローチャートに従って説明する。
補正被写界深度補正撮影処理を開始すると、図２０のステップＳ１３１に進み、ブラケティング撮影で撮影する画像の後方被写界深度Ｔｒ「Ｔｒ＝Ｔｒ１＋ｍ・ｊ・ΔＴｒ」を設定する。ここでは「Ｔｒ１＝１０ｍ」であり、「ｊ＝０」、「ｍ＝＋１」、「ΔＴｒ＝１０ｍ」であるので、「Ｔｒ＝１０＋１・０・１０ｍ＝１０ｍ」となる。
なお、撮影順序下り順序の場合には、「Ｔｒ１＝３０」であることから、「Ｔｒ＝３０＋１・０・１０ｍ＝３０ｍ」となる。
【０１７１】
次いで、設定した被写界深度Ｔｒに相当する絞り値Ｆを算出して設定する。この絞り値Ｆは上述したように、数式１６に従って算出する。なお、被写界深度限界をブラケティングさせる場合には、絞り値Ｆは、数式１７（近点Ｌmin）、数式１８（遠点Ｌmax）によって算出される
そして、絞り値Ｆに相当する絞り開口となるように絞り兼用シャッタ１５を設定し（ステップＳ１３３）、測距処理、ＷＢ処理等を行う（ステップＳ１３４）。
そして、測距処理に基づく適切な露出量（Ｅｖ）とステップＳ１３２で設定した絞り値Ｆに適切なシャッタ速度に設定する（ステップＳ１３５）。
そして、設定した撮影条件で撮影し、得られた画像データをバッファメモリに記憶してから（ステップＳ１３６）、フラッシュメモリ７に転送記録する（ステップＳ１３７）。
【０１７２】
そして、図１９のフローチャートに戻り、撮影済み枚数ｊを「ｊ＝ｊ＋１」に設定する（ステップＳ９６）。ここでは、「ｊ＝０＋１＝１」となる。
そして、撮影済み枚数ｊが設定した撮影枚数ｎ、ここでは、３枚以上であるか否かを判断する（ステップＳ９７）。撮影済み枚数ｊは１なので、撮影枚数より少ないと判断し、ステップＳ９５、つまり、図２０のステップＳ１３１に戻り、後方被写界深度Ｔｒを設定して（ここでは、Ｔｒ＝１０ｍ＋１・１・１０＝２０ｍ）、該設定した後方被写界深度Ｔｒに相当する絞り値Ｆを算出して、撮影を行う。
【０１７３】
この動作を撮影済枚数ｊが撮影枚数ｎ（ここでは、３）となるまで上記した動作を繰り返し、撮影済枚数ｊが撮影枚数ｎ以上と判断すると（ステップＳ９７でＹに分岐）、該フラッシュメモリ７に記録されている複数の画像データ（ブラケティング撮影により撮影された画像データ）を被写界深度条件とともにメモリ・カード１２に記録する（ステップＳ９８）。このステップＳ９５〜ステップＳ９７のループによって撮影される画像は図２２に示すような画像となる。
【０１７４】
図２２はこのブラケティング撮影により撮影される画像のタイムチャートを示したものであり、１枚目に撮影される画像の後方被写界深度Ｔｒは１０ｍであり、２枚目は２０ｍ、３枚目は３０ｍである。なお、斜線部はピントが合っている領域、つまり、被写界深度Ｚの領域を示している。
そして、ブラケティング撮影により撮影された画像データ等をメモリ・カード１２に記録すると、その他のキー処理、表示処理などを行う（ステップＳ９９）。
【０１７５】
一方、ステップＳ１００で、撮影順序が下り順でもないと判断すると、撮影順序が０＋−順であるか否かを判断する（ステップＳ１０３）。撮影順序が０＋−順でもないと判断するとその他の処理を行い、０＋−順であると判断すると、被写界深度の初期値Ｔｒ１（Ｔｒ１＝Ｔｒ０）の設定を行う（ステップＳ１０４）。そして、撮影順序ｍを「ｍ＝＋１」に設定し（ステップＳ１０５）、撮影枚数ｎを「ｎ＝ｋ＋１」、撮影済枚数ｊを「ｊ＝０」に設定する（ステップＳ１０６）。ここで、ステップＳ８４でブラケティング撮影により撮影する全体の撮影枚数を３と設定した場合には、「２ｋ＋１＝３」より「ｋ＝１」となることから、撮影枚数ｎは２となる。
【０１７６】
そして、被写界深度補正撮影処理を行う（ステップＳ１０７）。ここでの被写界深度補正撮影処理は上述したように、図２０のステップＳ１３１からステップＳ１３７の処理を踏むことになる。
そして、撮影済枚数ｊを「ｊ＝ｊ＋１」に設定し（ステップＳ１０８）、撮影済枚数ｊが撮影枚数ｎ（ここでは、２）以上か否かを判断し（ステップＳ１０９）、撮影済枚数ｊが撮影枚数ｎ以上でない場合には、ステップＳ１０７に戻り上記した動作を繰り返す。
つまり、このステップＳ１０７〜ステップＳ１０９の処理で、後方被写界深度Ｔｒ（Ｔｒ＝Ｔｒ１＋ｍ・ｊ・ΔＴｒ）であることから、撮影される画像の後方被写界深度は、１枚目が２０ｍ、２枚目が３０ｍとなる。なお、Ｔｒ１＝Ｔｒ０＝２０ｍ、ΔＴｒ＝１０ｍとする。
【０１７７】
そして、撮影済枚数ｊが撮影枚数ｎ以上か否かを判断し、撮影枚数ｎ以上である場合には、撮影順序ｍを「ｍ＝−１」に設定し（ステップＳ１１０）、撮影枚数ｎを「ｎ＝ｋ」（ここでは、「ｎ＝ｋ＝１」）、撮影済枚数ｊを「ｊ＝１」に設定して（ステップＳ１１１）、被写界深度補正撮影処理を行う（ステップＳ１１２）。被写界深度補正撮影処理は上述したように、図２０のステップＳ１３１〜ステップＳ１３７までの処理を踏むこととなる。
そして、撮影済枚数ｊを「ｊ＝ｊ＋１」（ここでは、「ｊ＝１＋１＝２」）に設定して（ステップＳ１１３）、撮影済枚数ｊが撮影枚数ｎ以上か否かを判断する（ステップＳ１１４）。ここでは撮影済枚数ｊが２であり、撮影枚数ｎが１であることから、撮影済枚数ｊが撮影枚数ｎ以上であると判断する。
【０１７８】
撮影済枚数ｊが撮影枚数ｎ以上でないと判断するとステップＳ１１２に戻り、撮影済枚数ｊが撮影枚数ｎ以上であると判断するとステップＳ９８に進み、該フラッシュメモリ７に記録されている複数の画像データ（ブラケティング撮影により撮影された画像データ）を被写界深度条件とともにメモリ・カード１２に記録する。
このステップＳ１１２〜ステップＳ１１４の処理で撮影される画像の後方被写界深度Ｔｒは１０ｍとなることになる。
つまり、ステップＳ８４で、補正間隔ΔＴｒ＝１０ｍ、撮影枚数３と設定した場合には、撮影順序が異なっても、撮影される画像は、後方被写界深度がそれぞれ「Ｔｒ＝１０ｍ」、「Ｔｒ＝２０ｍ」、「Ｔｒ＝３０ｍ」、の画像を得ることがわかる。但し、Ｔｒ０＝２０ｍ。
【０１７９】
以上のように第４の実施の形態においては、被写界深度の設定などの撮影条件を変えて撮影しなくても、１回のシャッタ操作だけで被写界深度条件の異なる画像を複数撮影することができる。
また、狙って撮影した場合の被写界深度条件が望みの被写界深度でない場合も、ブラケティング撮影した複数の連続画像の中から、所望の被写界深度の深浅やピントが合う範囲やボケ範囲となる画像を得ることができ、満足のいく画像を撮影することができる。
また、補正間隔を自由に設定することができるので、ブラケティング撮影により撮影される画像の被写界深度の深浅や、ピントが合う範囲、ボケ範囲を調節することができ、所望の被写界深度条件を有する画像を撮影することができる。
【０１８０】
また、ある程度所望の被写界深度条件を入力しておき、補正間隔を調整することで、より適切、所望の画像をブラケティング撮影により得ることができる。
また、撮影枚数を入力することができるので、その場の状況に応じて撮影枚数を入力することにより所望の画像を得ることができる。例えば、ユーザが入力した画角により所望の画像をほぼ得ることができる場合には撮影枚数は少なくてすみ、ユーザが設定した画像の画角では所望の画像を得ることができない場合には撮影枚数は多くすることにより、所望の画像を得ることができる。
【０１８１】
なお、第４の実施の形態においては、ブラケティング撮影の一例として、後方被写界深度をブラケティングさせて撮影する場合のデジタルカメラの動作について説明したが、これに限らず、前方被写界深度又は被写界深度限界近点又は被写界深度限界遠点又は過焦点距離をブラケティングさせて撮影することができることはいうまでもない。
【０１８２】
ユーザの被写界深度条件（後方被写界深度等）の設定を行わずに、撮影を行うと判断すると、ブラケティング撮影を行うようにしたが、ユーザが予め後方被写界深度等の撮影条件を設定し、撮影を行うと判断するとブラケティング撮影を行うようにしてもよい。つまり、第２の、第３の実施の形態に説明するように、ユーザに設定された被写界深度条件となるように設定してから、ブラケティング撮影を行うようにする。これにより、ユーザによって設定された後方被写界深度を基準にブラケティング撮影を行うので、ユーザが所望する画像を確実に得ることができる。
【０１８３】
また、ブラケティングされる被写界深度条件となるような絞り値Ｆを算出して、ブラケティング撮影を行うようにしたが、ブラケティングされる被写界深度条件となるような焦点距離ｆを算出してブラケティング撮影を行うようにしてもよい。
つまり、第３の実施の形態のように被写界深度条件に対応する絞り値Ｆを算出するのではなく、第２の実施の形態のように被写界深度条件に対応する焦点距離ｆを算出することになる。この場合の絞り値Ｆは、ユーザによって入力された値やＡＥ処理によって設定された絞り値などを使用する。
【０１８４】
また、被写界深度条件をブラケティングさせて撮影する場合について述べたが、ブラケティング撮影を行うことなく、被写体を連続して撮影を行うようにしてもよい。このとき、撮影ごとに他の被写界深度条件を設定して撮影を行うようにしてもよい。例えば、連続撮影において、１枚目は後方被写界深度Ｔｒが「１０ｍ」となるような画像を撮影し、２枚目は被写界深度限界遠点Ｌmaxが「５０ｍ」となるような画像を撮影し、３枚目は過焦点距離Ｌ∞が「１０ｍ」となるような画像を連続して撮影するようにしてもよい。
また、同じ被写界深度条件で連続撮影する場合においても、１枚目は後方被写界深度Ｔｒが「５ｍ」となるような画像を撮影し、２枚目は後方被写界深度Ｔｒが「１５ｍ」となるような画像を撮影し、３枚目は後方被写界深度Ｔｒが「２０ｍ」となるような補正間隔がバラバラな画像を連続して撮影するようにしてもよい。
【０１８５】
［第５の実施の形態］
第５の実施の形態においては、ユーザにより設定された被写界深度条件・露出条件等により被写界深度及び露出をブラケティングして撮影（マルチブラケティング撮影）を行うというものである。
【０１８６】
Ｊ．デジタルカメラ１の動作
第５の実施の形態におけるデジタルカメラ１の動作を図２３、図２４のフローチャートに従って説明するが、ここでは、被写界深度条件の補正間隔をΔＴｒと限定したときのデジタルカメラ１の動作に限定して説明する。
【０１８７】
静止画撮影モードに設定されたと判断すると、測光処理、ＷＢ処理などを行う（ステップＳ１５１）。そして、ズーム処理、ＡＦ処理を行ってから（ステップＳ１５２）、現在設定されている絞り値ｆ、被写体距離Ｌ、焦点距離ｆから過焦点距離ｌ∞０、前方又は後方被写界深度（Ｔｒ０、Ｔｆ０）、被写界深度限界（近点Ｌmin０、遠点Ｌmax０）の算出を行う（ステップＳ１５３）。この算出は、上述したように、数式１から数式５に従って算出する。なお、このＴｒ０、Ｔｆ０等の値は、ブラケティング撮影で撮影される画像の基準となる被写界深度条件の値を示している。
【０１８８】
そして、被写体のスルー画像とともに距離換算スケール、ステップＳ１５３で算出した前方又は後方被写界深度（Ｔｆ０、Ｔｒ０）等の数値、関係グラフなどを画像表示部１０に表示させ、被写界深度Ｚを距離換算スケール上に表示させる（ステップＳ１５４）。このときに、図２１に示すような画像、関係グラフ等が画像表示部１０に表示されているものとする。この図の説明については第４の実施の形態で述べたのでここででは省略する。
そして、被写体の撮影を行うか否かを判断する（ステップＳ１５５）。この判断は、シャッタボタン押下、又は、ブラケティング撮影を行う旨を指示するブラケティング撮影ボタンに対応する操作信号がキー入力部９から送られてきたか否かにより判断する。撮影を行わないと判断するとその他の処理を行い、撮影を行うと判断すると、ステップＳ１５６に進む。
【０１８９】
撮影を行うと判断すると、被写界深度・露出ブラケティング撮影を行うか否かを判断する（ステップＳ１５６）。この判断は、ユーザのキー入力部９の操作によりブラケティング撮影のうち被写界深度・露出ブラケティングが選択された状態で、且つ、ブラケティング撮影ボタンに相当する操作信号がキー入力部９から送られてきたか否かにより判断する。なお、静止画撮影用のシャッタボタンとブラケティング撮影ボタンを別個に設けたが、予めユーザが被写界深度・露出ブラケティング撮影を行う旨を指示された状態でシャッタボタンが押下されたと判断すると、被写界深度・露出ブラケティング撮影を行うと判断するようにしてもよい。
【０１９０】
ここで、ユーザが設定モードにより予め設定した被写界深度ブラケティング撮影用の条件とは、被写界深度補正間隔（ΔＴｒ、ΔＴＦ、ΔＬmin、ΔＬmaxなど）、被写界深度補正順序（上り順、下り順など）、被写界深度補正撮影枚数（２・ｋ１＋１）のことをいい、露出ブラケティング用の条件とは、露出補正間隔（ΔＥｖ）、露出補正順序（上り順、下り順など）、露出補正撮影枚数（２・ｋ２＋１）のことをいう。ここでは、ユーザは設定モードで、被写界深度ブラケティング撮影用の条件の補正間隔ΔＴｒを１０ｍ、補正順序を上り順、撮影枚数を３（２・ｋ１＋１＝３なので、ｋ１＝１となる）と設定し、露出ブラケティング撮影用の条件の補正間隔ΔＥｖを０．３Ｅｖ、補正順序を上り順、撮影枚数を３（２・ｋ２＋１＝３なので、ｋ２＝１となる）と設定したものとする。
【０１９１】
図２３のフローチャートに戻り、ステップＳ１５７で、被写界深度・露出ブラケティング撮影でないと判断すると、その他の撮影処理を行い、被写界深度・露出ブラケティング撮影であると判断すると、被写界深度補正順序が上り順であるか否かを判断する（ステップＳ１５７）。
ここでは、被写界深度補正順序を上り順と設定してあるので、上り順と判断し、ブラケティングさせる後方被写界深度の初期値Ｔｒ１（Ｔｒ１＝Ｔｆ０−ｋ１・ΔＴｒ）を設定する（ステップＳ１５８）。ここではＴｒ０が２０ｍであるので（図２１参照）、後方被写界深度の初期値Ｔｒは「Ｔｒ１＝２０−１・１０ｍ＝１０ｍ」となる。そして、撮影順序ｍ１を「ｍ１＝＋１」と設定して（ステップＳ１５９）、ステップＳ１６４に進む。
【０１９２】
一方、ステップ１５７で被写界深度補正順序が上り順でないと判断すると、被写界深度補正順序が下り順であるか否かを判断する（ステップＳ１６０）。下り順であると判断すると、ブラケティングさせる後方被写界深度の初期値Ｔｒ１（Ｔｒ１＝Ｔｒ０＋ｋ１・ΔＴｒ）と設定し（ステップＳ１６１）、撮影順序ｍ１を「ｍ１＝−１」と設定して（ステップＳ１６２）、ステップＳ１６４に進む。
一方、ステップＳ１６０で被写界深度補正順序が下り順でないと判断すると、その他の補正順序の初期値等を設定して（ステップＳ１６３）、ステップＳ１６４に進む。
【０１９３】
ステップＳ１６４に進むと、撮影枚数ｎ１、撮影済枚数ｊ１を設定する。ここでは、ｎ１＝２・ｋ１＋１＝３と、ｊ１＝０と設定する。
そして、ブラケティング撮影で撮影する画像の後方被写界深度Ｔｒ（Ｔｒ＝Ｔｒ１＋ｍ１・ｊ１・ΔＴｒ）を設定する（ステップＳ１６５）。ここでＴｒ１はステップＳ１５８で「１０ｍ」と設定され、撮影順序ｍ１はステップＳ１５９で「＋１」と設定され、撮影済枚数ｊ１はステップ１６４で「０」と設定されているので、Ｔｒ＝１０ｍとなる。
そして、図２４のステップＳ１６６に進み、ステップＳ１６５で設定した後方被写界深度Ｔｒとなるような絞り値Ｆを算出して設定を行う。この算出は、数式１６の関係式によって算出することができる。
【０１９４】
そして、露出補正順序が上り順であるか否かを判断する（ステップＳ１６７）。ここでは、露出補正順序を上り順であると設定しているので、露出の初期値Ｅｖ１（Ｅｖ１＝Ｅｖ０−ｋ２・ΔＥｖ）を設定する（ステップＳ１６８）。ここで、Ｅｖ０とは撮影を行うと判断したときの露出量のことをいう。よって、Ｅｖ１＝Ｅｖ０−１・０.３Ｅｖとなる。
そして、撮影順序ｍ２を「ｍ２＝＋１」と設定して（ステップＳ１６９）、ステップＳ１７４に進む。
一方、露出補正順序が上り順でないと判断すると、露出補正順序が下り順であるか否かを判断し（ステップＳ１７０）、下り順である場合には、露出の初期値Ｅｖ１（Ｅｖ１＝Ｅｖ０＋ｋ２・ΔＥｖ）を設定する（ステップＳ１７１）。そして、撮影順序ｍ２を「ｍ２＝−１」と設定して（ステップＳ１７２）、ステップＳ１７４に進む。
また、補正露出順序が上り順でもないと判断すると、その他の補正順序の初期値の設定等を行って（ステップＳ１７３）、ステップＳ１７４に進む。
【０１９５】
ステップＳ１７４に進むと、撮影枚数ｎ２、撮影済枚数ｊ２の設定を行う。ここでは、ｎ２＝２・ｋ２＋１＝３、ｊ２＝０と設定する。
そして、ブラケティング撮影の露出Ｅｖ（Ｅｖ＝Ｅｖ１＋ｍ２・ｊ２・ΔＥｖ）を設定し、該設定した露出ＥｖとステップＳ１６６で設定した絞り値Ｆとから最適なシャッタ速度の設定を行う（ステップＳ１７５）。ここでのブラケティング撮影の露出Ｅｖは「Ｅｖ＝Ｅｖ０−０．３Ｅｖ」となる。
そして、設定した被写界深度条件、露出条件（絞り値Ｆ、シャッタ速度）で被写体の撮影処理を行い、得られた画像データ及び被写界深度条件などをバッファメッモリを介してフラッシュメモリ７に記録する（ステップＳ１７６）。
【０１９６】
そして、撮影済枚数ｊ２を「ｊ２＝ｊ２＋１」に設定し（ステップＳ１７７）、ｊ２がｎ２以上か否かを判断する（ステップＳ１７８）。ここでは、ｊ２＝１であり、ｎ２＝３であるので小さいと判断し、ステップＳ１７５に戻り、上記した動作を繰り返す。
ここでは、ステップＳ１７５〜ステップＳ１７８のループにより、露出が「Ｅｖ０−０．３Ｅｖ」、「Ｅｖ０±０」、「Ｅｖ０＋０．３Ｅｖ」の３枚の画像が撮影されることになる。なお、「Ｅｖ０」とは撮影を行うと判断したときの露出量を示しており、この３枚の画像の後方被写界深度Ｔｒは１０ｍであることは言うまでもない。
一方、ステップＳ１７８でｊ２がｎ２以上であると判断すると、ステップＳ１７９に進む。
【０１９７】
そして、ステップＳ１７９に進むと、撮影済枚数ｊ１を「ｊ１＝ｊ１＋１」に設定して、撮影済枚数ｊ１が撮影枚数ｎ１以上であるか否かを判断し（ステップＳ１８０）、ｊ１がｎ１以上である場合にはステップＳ１８１に進み、ｊ１がｎ１より小さい場合にはステップＳ１６５に戻り、上記した動作を繰り返す。
ここでは、ｊ１＝１であり、ｎ１＝３であるので、ｊ１はｎ１以上ではないと判断するので、ステップＳ１６５に戻り、後方被写界深度Ｔｒ（Ｔｒ＝Ｔｒ１＋ｍ１・ｊ１・ΔＴｒ）の設定を行う。ここでは、後方被写界深度Ｔｒは２０ｍとなる。そして、設定された被写界深度となるような絞り値Ｆを設定し、露出ブラケティング撮影、つまり、露出が「Ｅｖ０−０．３Ｅｖ」、「Ｅｖ０±０Ｅｖ」、「Ｅｖ０＋０．３Ｅｖ」となるような画像を撮影する。
【０１９８】
そして、撮影済枚数ｊ１を「ｊ１＝ｊ１＋１」に設定し（ここでは、ｊ１＝２）、ｊ１は、ｎ１（ｎ１＝３）以上ではないので、再び後方被写界深度Ｔｒの設定を行い（ここでは、Ｔｒ＝３０ｍ）、設定した後方被写界深度Ｔｒとなるような絞り値Ｆを設定し、露出ブラケティング撮影、つまり、露出量が「Ｅｖ０−０．３Ｅｖ」、「Ｅｖ０±０Ｅｖ」、「Ｅｖ０＋０．３Ｅｖ」となるような画像を撮影する。
そして、撮影済枚数ｊ１を「ｊ１＝ｊ１＋１」に設定し（ここでは、３）、ｊ１はｎ１以上であるか否かを判断する。ここでは、ｊ１＝ｎ１＝３であるから、ｊ１はｎ１以上であると判断しステップＳ１８１に進む。
ステップＳ１８１に進むと、フラッシュメモリ７に記録されているブラケティング撮影により撮影された画像データを被写界深度条件とともにメモリ・カード１２に記録する。
【０１９９】
図２５は、このブラケティング撮影で撮影された画像のタイムチャートを示すものである。
まず、１枚目に後方被写界深度Ｔｒ「１０ｍ」、露出「Ｅｖ０−０．３Ｅｖ」の画像が撮影され、２枚目に後方被写界深度Ｔｒ「ｍ１０」、露出「Ｅｖ０±０．３Ｅｖ」の画像、３枚目に後方被写界深度Ｔｒ「１０ｍ」、露出「Ｅｖ０＋０．３Ｅｖ」の画像が撮影されている。
そして、４枚目から６枚目の画像は、後方被写界深度Ｔｒ「２０ｍ」であり、４枚目の露出は「Ｅｖ０−０．３Ｅｖ」、５枚目の露出は「Ｅｖ０±０Ｅｖ」、６枚目の露出は「Ｅｖ０＋０．３Ｅｖ」である。
そして、７枚目から９枚目の画像は、後方被写界深度Ｔｒ「３０ｍ」であり、７枚目の露出は「Ｅｖ０−０．３Ｅｖ」、８枚目の露出は「Ｅｖ０±０Ｅｖ」、９枚目の露出は「Ｅｖ０＋０．３Ｅｖ」である。
【０２００】
次に、ユーザのブラケティング撮影用の条件の入力方法の一例を図２６を用いて説明する。
まず、ユーザがキー入力部９の設定モードキーを操作すると、図２６（ｉ）に示すような設定モードの画像が画像表示部１０に表示される。画像表示部１０には、「通常連写」、「高速連写」、「１６枚連写」、「オートブラケティング」、「切」の５項目が表示され、それぞれの項目ごとに四角いチェックボックスが表示されている。このチェックボックスが黒く表示されている項目が現在選択されている項目であることを表示している。図を見ると、現在はオートブラケティングが選択されていることがわかる。ユーザはカーソルキーの「↑」、「↓」を操作することにより、ユーザが選択したい項目を選択することができる。例えば、カーソルキーの「↑」を操作すると、「オートブラケティング」のチェックボックスから「１６枚連写」のチェックボックスが黒く表示される。つまり、「１６枚連写」が選択される。
【０２０１】
次に、「オートブラケティング」が選択されている状態で、ユーザがカーソルキーの「→」を操作すると、図２６（ｊ）に示すような画像が表示される。つまり、オートブラケティングの種類を選択することができる状態へと切り換わる。
ここでは、「ＡＥ」、「ＷＢ」、「フォーカス」、「画角」、「被写界深度」、「マルチ」の６項目が表示されており、それぞれの項目ごとに丸いチェックボックスが表示されている。現在は「ＡＥ」が選択されている状態である。この「ＡＥ」とは、ＡＥブラケティングのことを意味している。ここで、ユーザがカーソルキーの「→」を操作すると、図２６（ｍ）に示すようにＡＥブラケティングの条件を入力するための画像が表示される。
【０２０２】
図２６（ｍ）に示す画像の下には丸いチェックボックスが左下、中下、右下の３ケ所に表示されており、現在は左下のチェックボックスが黒く表示されている。この左下のチェックボックスが黒く表示されているときは、補正間隔を入力する項目が選択されている状態であることを表示しており、現在は補正間隔が「０．３」Ｅｖ毎であることがわかる。この入力方法としては、ユーザがカーソルキーの「↑」、「↓」を操作して補正間隔の数値を切り替えることにより数値を入力することができる。例えば、カーソルキーの「↑」を操作すると、補正間隔が「０．３」Ｅｖ毎から「０．２」Ｅｖ枚に切り換わり、カーソルキーの「↓」を操作すると補正間隔が「０．３」Ｅｖ毎から「０．４」Ｅｖ毎に切り換わる。
また、ユーザがカーソルキーの「→」や「←」を操作することにより、左下のチェックボックスから中下のチェックボックスが選択された状態、つまり、補正枚数を設定する項目が選択されている状態へと切り換わる。そして、更にユーザがカーソルキーの「→」を操作すると、補正順序を設定する項目が選択されている状態となる。
【０２０３】
また、図２６（ｊ）に示すような画像が表示されている状態で、ユーザがカーソルキーの「↓」を操作していき、図２６（ｋ）に示すように「被写界深度」が選択されている状態で、カーソルキーの「→」を操作すると、図２６（ｎ）に示すような画像が表示される。図２６（ｎ）は、後方被写界深度をブラケティングさせていく場合のブラケティングの条件を入力するための画像であるが、後方被写界深度ではなく、前方被写界深度、被写界深度限界近点などをティブラケングさせていく場合のブラケティングの条件を入力するための画像でもよい。また、ユーザのキー入力部９の操作により被写界深度条件を入力する画像が切り換わるようにしてもよい。
このブラケティングの条件の入力操作は上述したＡＥブラケティングの条件の選択方法と同一であり、左下は補正間隔、中下は補正枚数、右下は補正順序である。
【０２０４】
次に、図２６（ｋ）に示すような画像が表示されている状態で、ユーザがカーソルキーの「↓」を操作することにより、図２６（ｌ）に示すように「マルチ設定」が選択されている状態でカーソルキーの「→」を操作すると、図２６（ｏ）に示すようなマルチブラケティングの条件を入力するための画像が画像表示部１０に表示される。
画像表示部１０には、「ＡＥ」、「ＷＢ」、「フォーカス」、「画角」、「被写界深度」の５項目が表示されており、それぞれの項目ごとに丸いチェックボックスが表示されている。
【０２０５】
図２６（ｏ）を見てわかるとおり、現在は、「ＡＥ」のチェックボックスが黒く表示されている。つまり、「ＡＥ」のブラケティング条件を入力することができる状態である。ここでは、「ＡＥ」ブラケティングの条件は、「−０.３」、「±０」、「＋０．３」となっており、これは、ＡＥブラケティングによりブラケティングされる露出が標準の露出から−０．３Ｅｖ、標準露出、標準露出から＋０．３Ｅｖであることを表わしている。この「−０．３」、「±０」、「＋０．３」の入力方法は上述したとおりである。
また、ユーザは、カーソルキーの「↓」を操作していくことにより、ブラケティングさせる項目を選択することができる。つまり、カーソルキーの「↓」を１回操作することにより、「ＷＢ」が選択されている状態（「ＷＢ」の条件を入力することができる状態）に切り換わり、更に「↓」を操作することにより、「フォーカス」が選択されている状態へと切り換わる。
【０２０６】
ここでは、ＡＥブラケティングの条件の他に、被写界深度ブラケティングの条件「−１０ｍ」、「±０」、「＋１０ｍ」が入力されている（図２６（ｏ）参照）。ここでの入力した被写界深度ブラケティングの条件は、後方被写界深度ブラケティングの条件であるとする。なお、ユーザのキー入力部９の操作により、入力する被写界深度ブラケティングの条件が、どの種類の被写界深度ブラケティングの条件であるのかを選択することができる。例えば、入力する被写界深度ブラケティングの条件が前方被写界深度ブラケティングの条件又は被写界深度限界遠点ブラケティングの条件というように選択することができる。
そして、実行キーなどを操作することにより、ユーザによって入力された条件が設定される。
【０２０７】
以上のように第５の実施の形態においては、１回の撮影で被写界深度条件と露出条件とを組み合わせて加減補正した複数枚の画像を撮影することができるので、所望の被写界深度の深浅表現で、且つ、適切な露出条件の画像が得ることができる。
【０２０８】
なお、第５の実施の形態においては、被写界深度条件と露出をブラケティングさせて被写体を撮影するようにしたが、露出ではなく、ＷＢ（ホワイトバランス）、シャープネス、コントラスト、フィルタ、カラー補正等を組み合わせて、ブラケティング撮影を行うようにしてもよい。例えば、被写界深度条件とコントラストをブラケティングさせて撮影するようにしてもよい。
また、被写界深度条件と露出とＷＢなどの複数をブラケティングさせて撮影するようにしてもよい。つまり、マルチブラケティング撮影を行うようにしてもよい。
また、ブラケティングされる被写界深度条件となるような絞り値Ｆを算出して、ブラケティング撮影を行うようにしたが、ブラケティングされる被写界深度条件となるような焦点距離ｆを算出してブラケティング撮影を行うようにしてもよい。これにより、ブラケティングにより被写界深度を変えるたびに（焦点距離を変えていくごとに）露出ブラケティング等のズームレンズを動かさないブラケティング撮影を行うので、ズームレンズを移動させる無駄を省くことができ、迅速にマルチブラケティング撮影を行うことができる。
【０２０９】
［第６の実施の形態］
第６の実施の形態においては、ベストショット撮影というものを設け、予めシーン毎に被写界深度条件（前方又は後方被写界深度、被写界深度限界（近点、遠点）など）を予め記録しておき、シーンを選ぶと選択したシーンに対応する被写界深度条件となるように、自動ズーム制御若しくは自動露出制御をして被写体を撮影することができるというものである。
【０２１０】
Ｋ．デジタルカメラ１の構成
第６の実施の形態も、図１に示したものと同様の構成を有するデジタルカメラ１を用いることにより本発明の撮影装置を実現する。
第２の実施の形態におけるデジタルカメラ１は、第１の実施の形態と以下の点で構成の機能が多少異なる。
【０２１１】
ユーザがキー入力部９の操作によりベストショット撮影モードに設定されると、ＤＳＰ／ＣＰＵ３は、複数の撮影シーン（撮影モード）を画像表示部１０に表示させる。
ここで、図２７（ｐ）は、画像表示部１０に表示された複数の撮影シーンを示すものである。画像表示部１０には、「人物ポートレート」、「人物像（２〜３人）」、「風景＋人物（記念写真）」等の撮影シーンが表示されている。また、人物ポートレートの欄が黒い太線で囲まれているのがわかる。これは、現在「人物ポートレート」が選択されていることを表わしている。
【０２１２】
そして、ユーザの十字キーの操作により、他の撮影シーンを選択することができる。例えば、ユーザが十字キーの「↓」の操作を行った場合は、「人物ポートレート」から「風景＋人物（記念写真）」が選択され、ユーザが十字キーの「→」の操作を行った場合は、「人物ポートレート」から「人物像（２〜３人）」が選択されることとなる。
このように、ユーザは十字キーを操作することにより、撮影したい撮影シーンを選択することができる。そして、ユーザは所望の撮影シーンを選択して実行キーを操作すると、ＤＳＰ／ＣＰＵ３は、選択された撮影シーンが選択されたと判断する。
【０２１３】
そして、ＤＳＰ／ＣＰＵ３は、実行キーの操作が行われたと判断すると、選択された撮影シーンに対応する撮影情報をＲＯＭ８から読み出して（第１の条件取得手段）、該読み出した撮影情報を撮影条件として設定する（設定手段）。
図１５（ｔ）は、ＲＯＭ８に記憶されている撮影情報の一例を示すものである。
図１５（ｔ）を見るとわかるように、撮影シーン毎に絞り、シャッタ速度、後方被写界深度Ｔｒ、被写界深度限界遠点Ｌmax等の撮影条件（被写界深度条件を含む）がＲＯＭ８に記録されていることがわかる。
そして、該読み出した撮影情報を撮影条件として設定すると、自動ズーム制御若しくは自動露出制御を行う。
【０２１４】
ここで、選択した撮影シーンに対応する被写界深度条件（前方又は後方被写界深度、被写界深度限界（近点、遠点）となるように自動ズーム制御を行うためには、絞り値Ｆが必要となるが、予め、撮影シーン毎ごとに絞り値ＦをＲＯＭ８に記録しておいてもよいし、ユーザが絞り値Ｆを入力してもよいし、ＡＥ処理によって定められた絞り値Ｆを用いてもよい。また、自動露出制御を行う場合には、焦点距離ｆが必要となるが、これも予め、撮影シーン毎ごとに焦点距離ｆをＲＯＭ８に記録しておいてもよいし、ＡＦ処理時のズームレンズ１４ｂの位置によって求められた焦点距離ｆを用いるようにしてもよい。
なお、画像表示部１０の複数の撮影シーン表示の際に、ブラケティング撮影用の撮影シーンを表示してもよい。このときには、ＲＯＭ８には、ブラケティング撮影用の撮影シーンに対応する撮影情報が記録されていることは言うまでもない。
【０２１５】
Ｌ．デジタルカメラ１の動作
第６の実施の形態におけるデジタルカメラ１の動作を図２８のフローチャートに従って説明する。
ユーザのキー入力部９の操作によりベストショット撮影モードに選択されると、ステップＳ２０１で、図２７（ｐ）に示すような複数の撮影シーンを画像表示部１０に表示させる。
ここで、ユーザは画像表示部１０に複数の撮影シーンが画像表示部１０に表示されると、撮影したい所望の撮影シーンを選択する。この選択は、十字キーの操作を行ってから、実行キーを操作する。ここで、ユーザが「人物像（２〜３人）」を十字キーにより選択し、実行キーを操作したものとする。
【０２１６】
次いで、ステップＳ２０２に進み、選択された撮影シーンに対応する撮影情報をＲＯＭ８から読み出し、該読み出した撮影情報を撮影条件として設定する。
図１５（ｔ）はＲＯＭ８に記録されている撮影シーン毎の撮影情報を示すものである。ここでは、「人物像」が選択されているので、証明写真に対応する撮影情報をＲＯＭ８から読み出す。すなわち、読み出された撮影情報は、「絞り」がオート、「シャッター速度」がオート、「後方被写界深度」が２０ｍ等となる。
【０２１７】
そして、該読み出した撮影情報を撮影条件として設定すると、図１２のステップＳ２２、又は、図１６のステップＳ５２に進む。
自動ズーム制御により撮影シーンに対応する被写界深度条件となるような画像を撮影する場合には図１６のステップＳ２２に進み、自動露出制御により撮影シーンに対応する被写界深度条件となるような画像を撮影する場合には図１６のステップＳ５２に進むようにする。
この自動ズーム制御により行うか、自動露出制御により行うかはユーザのキー入力部９の操作により選択することができるようにしてもよし、自動的に選択するようにしてもよい。
【０２１８】
なお、撮影シーンを選択した場合であっても選択された撮影シーンに適切なブラケティング撮影を行うようにしてもよい。
例えば、撮影シーン「人物ポートレート」のような人物が被写体となる撮影シーンを選択した場合は、ソフトフォーカスや肌色ブラケティング撮影を行うようにしたり、撮影シーンが屋内の場合は、ＷＢブラケティングやフラッシュブラケティング撮影を行うようにしたり、撮影シーンが「風景」の場合には、画角ブラケティングや被写界深度ブラケティング撮影を行うようにしてもよい。また、シーンに合わせて、ブラケティング撮影だけでなく、特殊な連写機能や、パンフォーカス、また、複数のブラケティング撮影を組み合わせて、３枚×３枚など組合わせた条件でのブラケティング撮影等ができるようにしてもよい。
【０２１９】
また、静止画の撮影シーンを選択した場合であっても、ユーザのキー入力部９の操作により、補正間隔、撮影順序、撮影枚数を入力することができるようにしてもよい。つまり、選択した撮影シーンを基準にブラケティング撮影を行うようにする。この場合には、選択された撮影シーンの撮影情報及び入力された補正間隔、撮影順序、撮影枚数を撮影条件として設定して、設定された焦点距離に対応する位置にズームレンズ１５を移動させると、図１８のステップＳ８５又は図２３のステップＳ１５１に進むようにする。
【０２２０】
また、撮影シーン毎の撮影情報の中に補正間隔、撮影順序、撮影枚数の撮影情報を予め記録させておき、撮影シーンの選択のときに通常の静止画撮影により撮影するかブラケティング撮影により撮影するかをユーザに選択させるようにしてもよい。通常の静止画撮影が選択された場合には、補正間隔、撮影順序、撮影枚数の撮影情報を撮影条件として設定せずに通常の静止画の撮影条件の設定を行い、ブラケティング撮影が選択された場合には、補正間隔、撮影順序、撮影枚数の撮影情報を撮影条件として設定する。
また、通常の静止画撮影用の撮影シーンと、ブラケティング撮影用の撮影シーンとを別個に記録しておき、ブラケティング撮影用の撮影シーンを選択した場合には、ブラケティング撮影を行うようにしてもよい。
【０２２１】
以上のように第６の実施の形態においては、撮影シーンをユーザが選択すると、該選択された撮影シーンに対応する撮影情報を撮影条件として設定するので、人物ポートレート、人物像（２〜３人）など、撮影シーンを選択するだけで、最も適切な被写界深度やボケ具合になるように、自動ズーム制御、自動露出制御を行うので、シーン別に最適な被写界深度の撮影を簡単に撮影することができる。
撮影シーンを選択するだけで、最適な被写界深度の撮影を行うことができるので、被写界深度条件の設定を行うなどのユーザの手間を省くことができる。
【０２２２】
なお、撮影シーンをユーザが選択するのではなく、メモリ・カード１２に記録してある画像をユーザが選択することにより、該選択された画像に関連付けられて記録されている撮影条件（後方被写界深度等の被写界深度条件及びブラケティング撮影用の条件、絞り値、シャッタ速度、彩度、コントラストなど）を読み出して（第２の条件取得手段）、この読み出した撮影条件を撮影条件として設定して、被写体を撮影するようにしてもよい。
また、選択した画像が通常の静止画撮影により撮影された画像であっても、ユーザのキー入力部９の操作により本発明のブラケティング撮影にしたり、選択した画像がブラケティング撮影により撮影された画像であっても、ユーザのキー入力部９の操作により本発明の静止画撮影にしたりすることができるようにしてもよい。
【０２２３】
これにより、撮影した画像（メモリ・カード１２に記録されている画像データ）を見て、これから撮影しようとする画像の構図に最も合う画像を選択することにより、その選択した画像とまったく同じ被写界深度となるような画像を撮影することができる。また、被写界深度条件の設定などのユーザの手間を省くことができ、簡単に適切な画角で被写体を撮影することができる。
【０２２４】
また、上記各実施の形態における撮影装置は、上記の実施の形態に限定されるものではなく、カメラ付き携帯電話、ＰＤＡ、パソコン等、又はデジタルビデオカメラ等でもよく、要は被写体を撮影することができる機器であれば何でもよい。
また、光学ズーム機能を有するデジタルカメラ１を用いて説明したが、デジタルズーム機能のみを有するデジタルカメラであってもよい。
【図面の簡単な説明】
【０２２５】
【図１】本発明の実施の形態のデジタルカメラのブロック図である。
【図２】ズームレンズと焦点距離ｆの関係、及び画角との関係を示す図である。
【図３】画角が写し込むことができる水平面地上の最短距離を示す図である。
【図４】単位目盛毎の画角とそのＣＣＤ上の位置との関係を示す図である。
【図５】画像表示部１０に表示される距離換算スケールの様子を示す図である
【図６】距離換算スケール上に重ねて表示される被写界深度の様子を示した図である。
【図７】第１実施の形態のデジタルカメラの動作を示すフローチャートである。
【図８】画像表示部に表示されるスルー画像及びそのときの被写界深度等の数値、距離換算スケール上に表示された被写界深度、関係グラフを示す図である。
【図９】関係グラフを拡大したときの図である。
【図１０】デジタルカメラの距離換算スケールの表示動作を示すフローチャートである。
【図１１】その他の関係グラフの表示態様を示す図である。
【図１２】第２実施の形態のデジタルカメラの動作を示すフローチャートである。
【図１３】第２実施の形態のデジタルカメラの動作を示すフローチャートである。
【図１４】画像表示部に表示されるスルー画像及びそのときの被写界深度等の数値、距離換算スケール上に表示された被写界深度、関係グラフを示す図である。
【図１５】画像表示部に表示されるスルー画像及びそのときの被写界深度等の数値、距離換算スケール上に表示された被写界深度、関係グラフを示す図である。
【図１６】第３実施の形態のデジタルカメラの動作を示すフローチャートである。
【図１７】第３実施の形態のデジタルカメラの動作を示すフローチャートである。
【図１８】第４実施の形態のデジタルカメラの動作を示すフローチャートである。
【図１９】第４実施の形態のデジタルカメラの動作を示すフローチャートである。
【図２０】被写界深度補正撮影処理の動作を示すフローチャートである。
【図２１】画像表示部に表示されるスルー画像及びそのときの被写界深度等の数値、距離換算スケール上に表示された被写界深度、関係グラフを示す図である。
【図２２】被写界深度ブラケティング撮影により撮影された画像のタイムチャートを示すものである。
【図２３】第５実施の形態のデジタルカメラの動作を示すフローチャートである。
【図２４】第５実施の形態のデジタルカメラの動作を示すフローチャートである。
【図２５】被写界深度・露出ブラケティング撮影により撮影された画像のタイムチャートを示す図である。
【図２６】ユーザのブラケティング撮影用の条件の入力方法を説明するための図である。
【図２７】ベストショット撮影のベストショットシーンを選択させるための選択表示と、ＲＯＭに記録されているベストショットシーン毎の撮影条件を示す図である。
【図２８】第６実施の形態のデジタルカメラの動作を示すフローチャートである。
【符号の説明】
【０２２６】
１      デジタルカメラ
２      ＣＣＤ
３      ＤＳＰ／ＣＰＵ
４      ＴＧ
５      ユニット回路
６      ＤＲＡＭ
７      フラッシュメモリ
８      ＲＯＭ
９      キー入力部
１０    画像表示部
１１    カードＩ／Ｆ
１２    メモリ・カード
１３    モータ駆動回路
１４    撮影レンズ
１５    絞り兼用シャッタ
【図１】
2005338614.tif 000021
【図２】
2005338614.tif 000022
【図３】
2005338614.tif 000023
【図４】
2005338614.tif 000024
【図５】
2005338614.tif 000025
【図６】
2005338614.tif 000026
【図７】
2005338614.tif 000027
【図８】
2005338614.tif 000028
【図９】
2005338614.tif 000029
【図１０】
2005338614.tif 000030
【図１１】
2005338614.tif 000031
【図１２】
2005338614.tif 000032
【図１３】
2005338614.tif 000033
【図１４】
2005338614.tif 000034
【図１５】
2005338614.tif 000035
【図１６】
2005338614.tif 000036
【図１７】
2005338614.tif 000037
【図１８】
2005338614.tif 000038
【図１９】
2005338614.tif 000039
【図２０】
2005338614.tif 000040
【図２１】
2005338614.tif 000041
【図２２】
2005338614.tif 000042
【図２３】
2005338614.tif 000043
【図２４】
2005338614.tif 000044
【図２５】
2005338614.tif 000045
【図２６】
2005338614.tif 000046
【図２７】
2005338614.tif 000047
【図２８】
2005338614.tif 000048